(57)【要約】  患者の手術用腔（気腹など）に送気ガスを供給するための手術用カニューレであって、カニューレを通した手術用腔への医療機器の挿入を可能にし、手術用腔から外部環境にガスを排出する手術用カニューレは、外部環境に到達することからスモークなどの望ましくない物質の量をより安全に低減するための、フィルタを含む排出特徴を含み得る。
2021533893.tif 000002
【特許請求の範囲】
【請求項１】
手術用腔に送気ガスを供給するための、及び前記手術用腔からガスを排出するための手術用カニューレであって、
カニューレ上部筐体と、
前記カニューレ上部筐体から延びる長尺状シャフトと、
を含み、
前記カニューレ上部筐体及び前記長尺状シャフトは、第１の内腔入口と第１の内腔出口とを含む第１の内腔を含み、前記第１の内腔は、前記カニューレ上部筐体の入口から送気ガスを受け取り、前記送気ガスを、前記長尺状シャフトの遠位端の近傍の出口から前記手術用腔に送達するように構成されており、前記第１の内腔入口は、前記送気ガスの供給源と流体連通しており、
前記カニューレ上部筐体及び前記長尺状シャフトは、第２の内腔入口と第２の内腔出口とを含む第２の内腔を含み、前記第２の内腔は、前記手術用腔から前記第２の内腔入口を通してガスを受け取り、前記第２の内腔出口を通して前記手術用腔の外に前記ガスを排出するように構成されており、
前記第２の内腔は、前記手術用カニューレに動作的に接続された排出用要素と流体連通する、
手術用カニューレ。
【請求項２】
前記第１の内腔と前記第２の内腔は、互いに少なくとも部分的に入れ子になっている、請求項１に記載の手術用カニューレ。
【請求項３】
前記第１の内腔と前記第２の内腔は、互いに完全に入れ子になっている、請求項１又は２に記載の手術用カニューレ。
【請求項４】
前記第１の内腔と前記第２の内腔は、互いに同心である、請求項１〜３のいずれか一項に記載の手術用カニューレ。
【請求項５】
前記第１の内腔は、前記第２の内腔に対して半径方向にオフセットしている、請求項１に記載の手術用カニューレ。
【請求項６】
前記第２の内腔は、前記第１の内腔に対して半径方向にオフセットしている、請求項１に記載の手術用カニューレ。
【請求項７】
前記第２の内腔は、前記第１の内腔の直径よりも大きい直径を含む、請求項１〜６のいずれか一項に記載の手術用カニューレ。
【請求項８】
前記第１の内腔は、前記第２の内腔の直径よりも大きい直径を含む、請求項１〜６のいずれか一項に記載の手術用カニューレ。
【請求項９】
前記排出用要素は、前記手術用腔に対する圧力差によって生じる受動排出を提供するように構成されている、請求項１〜８のいずれか一項に記載の手術用カニューレ。
【請求項１０】
前記第１の内腔入口は、ガス供給源出口と接続するように構成されている、請求項１〜９のいずれか一項に記載の手術用カニューレ。
【請求項１１】
前記第１の内腔又は前記第２の内腔は、前記第１の内腔又は前記第２の内腔のうちの他方を位置づける及び／又は保持するように構成された１つ以上の位置決めリブを含む、請求項１〜１０のいずれか一項に記載の手術用カニューレ。
【請求項１２】
少なくとも３つの位置決めリブを含む、請求項１１に記載の手術用カニューレ。
【請求項１３】
前記位置決めリブは、前記第１の内腔又は前記第２の内腔の内壁と一体形成されている、請求項１１に記載の手術用カニューレ。
【請求項１４】
前記第１の内腔は、前記第２の内腔の断面積よりも大きい断面積を含む、請求項１〜６又は８〜１３のいずれか一項に記載の手術用カニューレ。
【請求項１５】
前記第２の内腔は、前記第１の内腔の断面積よりも大きい断面積を含む、請求項１〜６又は８〜１３のいずれか一項に記載の手術用カニューレ。
【請求項１６】
前記第２の内腔は、半円形、三日月形、又は弓形輪郭のうちの１つを含み、前記第１の内腔は、円形輪郭を含む、請求項１〜１４のいずれか一項に記載の手術用カニューレ。
【請求項１７】
前記第２の内腔は、前記第１の内腔に少なくとも部分的に外接する渦巻形を含む、請求項１に記載の手術用カニューレ。
【請求項１８】
前記第１の内腔は、前記第１の内腔内に医療機器を収容するように構成されている、請求項１〜１７のいずれか一項に記載の手術用カニューレ。
【請求項１９】
第３の内腔を更に含み、前記第３の内腔は、前記第３の内腔内に医療機器を収容するように構成されている、請求項１〜１８のいずれか一項に記載の手術用カニューレ。
【請求項２０】
前記第２の内腔と流体連通するフィルタを更に含む、請求項１〜１９のいずれか一項に記載の手術用カニューレ。
【請求項２１】
前記フィルタは、前記カニューレ上部筐体に取り外し可能に結合された前記排出用要素内に収容されている、請求項２０に記載の手術用カニューレ。
【請求項２２】
前記排出用要素は、クリップによって、前記カニューレ上部筐体に取り外し可能に結合されている、請求項２１に記載の手術用カニューレ。
【請求項２３】
前記フィルタは、前記カニューレ上部筐体と一体形成されている、請求項２０に記載の手術用カニューレ。
【請求項２４】
前記フィルタは、前記第２の内腔と一体形成されている、請求項２０に記載の手術用カニューレ。
【請求項２５】
前記フィルタは、前記カニューレ上部筐体内に配置されている、請求項２０に記載の手術用カニューレ。
【請求項２６】
前記フィルタは、前記カニューレ上部筐体の近位端に接続された導管に動作的に接続されている、請求項２０又は２１に記載の手術用カニューレ。
【請求項２７】
前記第２の内腔出口は、前記カニューレ上部筐体の長手方向軸線に対して角度を成している、請求項１に記載の手術用カニューレ。
【請求項２８】
前記第２の内腔出口の前記角度は約４５度である、請求項２５に記載の手術用カニューレ。
【請求項２９】
前記カニューレは、医療機器に対して封止するように構成されたシールを更に含み、前記シールは、前記カニューレ上部筐体内に位置し、前記第１の内腔及び前記第２の内腔のうちの少なくとも１つに対して整列している、請求項１〜２８のいずれか一項に記載の手術用カニューレ。
【請求項３０】
前記シールは、ダックビル型シール又はフラップシールを含む、請求項２９に記載の手術用カニューレ。
【請求項３１】
手術用腔に送気ガスを供給するための、及び前記手術用腔からガスを排出するための手術用カニューレであって、
カニューレ上部筐体と、
前記カニューレ上部筐体から延びる長尺状シャフトと、
を含み、
前記カニューレ上部筐体及び前記長尺状シャフトは、前記カニューレ上部筐体の入口から送気ガスを受け取り、前記送気ガスを、前記長尺状シャフトの遠位端の近傍で前記手術用腔に送達するように構成された内腔を含み、内腔入口が、前記送気ガスの供給源と流体連通しており、
前記内腔はまた、前記手術用腔からガスを受け取り、前記手術用腔から前記手術用腔の外に前記ガスを排出するように構成されており、
前記カニューレは、前記内腔と流体連通する排出用要素を更に含み、前記排出用要素は、前記手術用腔からの前記ガスが前記手術用カニューレから排出される前に、前記手術用腔からの前記ガスを濾過するように構成されたフィルタを含む、
手術用カニューレ。
【請求項３２】
前記排出用要素は、前記カニューレ上部筐体に組み込まれている、請求項３１に記載の手術用カニューレ。
【請求項３３】
前記排出用要素は、前記内腔に組み込まれている、請求項３１〜３３のいずれか一項に記載の手術用カニューレ。
【請求項３４】
前記内腔は、前記内腔に沿って部分的に軸方向に延びる壁を含み、前記壁は、送気ガスを前記手術用腔に送達するように構成された第１の通路と、前記手術用腔からガスを排出するように構成された第２の通路とに前記内腔を分割するように構成されている、請求項３１〜３３のいずれか一項に記載の手術用カニューレ。
【請求項３５】
前記第１の通路は、前記第２の通路と同心である、請求項３４に記載の手術用カニューレ。
【請求項３６】
前記第１の通路は、前記第２の通路からオフセットしている、請求項３４に記載の手術用カニューレ。
【請求項３７】
前記第１の通路は、前記第２の通路から流体的に隔離されている、請求項３４〜３６のいずれか一項に記載の手術用カニューレ。
【請求項３８】
前記排出用要素は、前記カニューレ上部筐体に取り外し可能に取り付けられている、請求項３１又は３４〜３７のいずれか一項に記載の手術用カニューレ。
【請求項３９】
前記排出用要素は、第１のロック機構を更に含み、前記第１のロック機構は、前記カニューレ上部筐体上の第２の相補的なロック機構に前記排出用要素をロックするように構成されており、前記第１のロック機構は、前記第１のロック機構が前記第２のロック機構にロックされると、前記排出用要素と前記カニューレ上部筐体との間にシールを作成する、請求項３１〜３８のいずれか一項に記載の手術用カニューレ。
【請求項４０】
前記排出用要素は、少なくとも１つの排出用アパーチャを含み、前記フィルタは、前記排出用アパーチャに隣接して配置され、前記手術用腔からのガスが前記フィルタを通過して、前記少なくとも１つの排出用アパーチャから出るように構成されている、請求項３１〜３９のいずれか一項に記載の手術用カニューレ。
【請求項４１】
複数の排出用アパーチャを含み、前記手術用腔からのガスの前記排出は、前記手術用腔と周囲空気との間の圧力差によって受動的に起こる、請求項４０に記載の手術用カニューレ。
【請求項４２】
前記排出用要素は、排出弁を含む、請求項３１〜４０のいずれか一項に記載の手術用カニューレ。
【請求項４３】
前記排出弁は、電磁弁を含む、請求項４２に記載の手術用カニューレ。
【請求項４４】
前記排出用要素は、１つ以上のセンサを含み、前記１つ以上のセンサは、温度、圧力、及び湿度のうちの少なくとも１つを検知するように構成されている、請求項３１〜４３のいずれか一項に記載の手術用カニューレ。
【請求項４５】
前記排出用要素は、前記フィルタの一部分を加熱し、前記フィルタの結露を防止するように構成された内蔵型の加熱要素を含む、請求項３１〜４３のいずれか一項に記載の手術用カニューレ。
【請求項４６】
前記排出用要素はフィンを含み、前記フィンは、前記カニューレ上部筐体内に延び、ガス入口ポートに隣接して配置され、前記ガス入口ポートから送気ガスの流れを案内する、請求項３１〜４５のいずれか一項に記載の手術用カニューレ。
【請求項４７】
手術用腔に送気ガスを供給するための、及び前記手術用腔からガスを排出するための手術用カニューレであって、
カニューレ上部筐体と、
前記カニューレ上部筐体から延びる長尺状シャフトと、
前記第２の内腔と流体連通する第１のフィルタ及び第２のフィルタであって、前記第２のフィルタは、前記第１のフィルタから遠位に離隔している、第１のフィルタ及び第２のフィルタと、
を含み、
前記カニューレ上部筐体及び前記長尺状シャフトは、第１の内腔入口と第１の内腔出口とを含む第１の内腔を含み、前記第１の内腔は、前記カニューレ上部筐体の入口から送気ガスを受け取り、前記送気ガスを、前記長尺状シャフトの遠位端の近傍の出口から前記手術用腔に送達するように構成されており、前記第１の内腔入口は、前記送気ガスの供給源と流体連通しており、
前記カニューレ上部筐体及び前記長尺状シャフトは、第２の内腔入口と第２の内腔出口とを含む第２の内腔を含み、前記第２の内腔は、前記手術用腔から前記第２の内腔入口を通してガスを受け取り、前記第２の内腔出口を通して前記手術用腔の外に前記ガスを排出するように構成されており、
前記第２の内腔は、前記手術用カニューレに動作的に接続された排出用要素と流体連通する、
手術用カニューレ。
【請求項４８】
前記第１のフィルタは、前記カニューレ上部筐体に取り外し可能に結合された前記排出用要素内に収容されている、請求項４７に記載の手術用カニューレ。
【請求項４９】
前記第２のフィルタは、前記第１のフィルタの遠位に配置されており、側壁ガス排出用出口ポートを含む、請求項４７に記載の手術用カニューレ。
【請求項５０】
前記第２のフィルタは、前記カニューレ上部筐体内に配置されている、請求項４８に記載の手術用カニューレ。
【請求項５１】
手術用腔に送気ガスを供給するための、及び前記手術用腔からガスを排出するための手術用カニューレであって、
カニューレ上部筐体と、
前記カニューレ上部筐体から延びる長尺状シャフトと、
を含み、
前記カニューレ上部筐体及び前記長尺状シャフトは、第１の内腔入口と第１の内腔出口とを含む第１の内腔を含み、前記第１の内腔は、前記カニューレ上部筐体の入口から送気ガスを受け取り、前記送気ガスを、前記長尺状シャフトの遠位端の近傍の出口から前記手術用腔に送達するように構成されており、前記第１の内腔入口は、前記送気ガスの供給源と流体連通しており、
前記カニューレ上部筐体及び前記長尺状シャフトは、第２の内腔入口と第２の内腔出口とを含む第２の内腔を含み、前記第２の内腔は、前記手術用腔から前記第２の内腔入口を通してガスを受け取り、前記第２の内腔出口を通して前記ガスを排出するように構成されており、
前記第２の内腔は、前記手術用カニューレに動作的に接続された排出用要素と流体連通し、
前記カニューレは、前記第２の内腔と流体連通するブロワユニットを更に含み、前記ブロワユニットは、ファンとブロワ駆動ユニットとを含み、前記ブロワユニットは、前記手術用腔からの前記ガスを前記第２の内腔に吸引するように構成されている、
手術用カニューレ。
【請求項５２】
前記ブロワ駆動ユニットは、磁気円形リングを含む、請求項５１に記載の手術用カニューレ。
【請求項５３】
手術用腔に送気ガスを供給するための、及び濾過された送気ガスを前記手術用腔に再循環させるためのマルチカニューレ手術用カニューレシステムであって、
第１のカニューレであって、第１の内腔であって、前記第１の内腔内に第１の医療機器を収容するように構成された第１の内腔と、第２の内腔と、前記第２の内腔と流体連通するブロワユニットと、前記第２の内腔と流体連通する少なくとも１つのフィルタと、を含み、前記ブロワユニットは、ファンとブロワ駆動ユニットとを含み、前記ブロワユニットは、前記手術用腔からの前記ガスを前記第２の内腔に吸引するように構成されており、前記第２の内腔は、前記手術用腔からの前記吸引されたガスを受け取るように構成されている、第１のカニューレと、
第２のカニューレであって、第１の内腔であって、前記第１の内腔内に第２の医療機器を収容するように構成された第１の内腔と、第２の内腔であって、前記第２のカニューレの前記第２の内腔は、導管を介して前記第１のカニューレの前記第２の内腔と流体連通するように構成されており、前記第２のカニューレの前記第２の内腔は、前記濾過された送気ガスを前記手術用腔に再循環させるように構成されている、第２の内腔と、を含む、第２のカニューレと、
を含み、
前記第１のカニューレ及び前記第２のカニューレのうちの少なくとも１つは、送気ガスの供給源に接続可能な送気ガス入口を更に含む、
手術用カニューレシステム。
【請求項５４】
手術用腔に送気ガスを供給するための、及び濾過された送気ガスを前記手術用腔に再循環させるための手術用カニューレシステムであって、
第１の内腔であって、前記第１の内腔内に第１の医療機器を収容するように構成された第１の内腔と、第２の内腔と、前記第２の内腔と流体連通するブロワユニットと、前記第２の内腔と流体連通する少なくとも１つのフィルタと、を含み、前記ブロワユニットは、ファンとブロワ駆動ユニットとを含み、前記ブロワユニットは、前記手術用腔からの前記ガスを前記第２の内腔に吸引するように構成されており、前記第２の内腔は、前記手術用腔からの前記吸引されたガスを受け取るように構成されている、カニューレ
を含み、
前記カニューレは、前記少なくとも１つのフィルタを介して前記第１のカニューレの前記第２の内腔と連通する第３の内腔を更に含み、前記第３の内腔は、前記濾過された送気ガスを前記手術用腔に再循環させるように構成されており、
前記カニューレは、送気ガスの供給源に接続可能な送気ガス入口を更に含む、
手術用カニューレシステム。
【請求項５５】
手術用腔に送気ガスを供給するための、及び前記手術用腔からガスを排出するための手術用カニューレであって、
カニューレ上部筐体と、
前記カニューレ上部筐体から延びる長尺状シャフトと、
を含み、
前記カニューレ上部筐体及び前記長尺状シャフトは、第１の内腔入口と第１の内腔出口とを含む第１の内腔を含み、前記第１の内腔は、前記カニューレ上部筐体の入口から送気ガスを受け取り、前記送気ガスを、前記長尺状シャフトの遠位端の近傍の出口から前記手術用腔に送達するように構成されており、前記第１の内腔入口は、前記送気ガスの供給源と流体連通しており、
前記カニューレ上部筐体及び前記長尺状シャフトは、第２の内腔入口と第２の内腔出口とを含む第２の内腔を含み、前記第２の内腔は、前記手術用腔から前記第２の内腔入口を通してガスを受け取り、前記第２の内腔出口を通して前記ガスを排出するように構成されており、
前記第２の内腔は、前記手術用カニューレに動作的に接続された排出用要素と流体連通し、
前記カニューレは、前記第２の内腔出口の近傍のシールに動作的に接続された制御部を更に含み、前記制御部は、非作動状態と作動状態とを有し、作動状態にある前記制御部は前記シールを開放させ、前記第２の内腔出口を通した前記ガスの排出を可能にする、
手術用カニューレ。
【請求項５６】
前記制御部はボタンを含む、請求項５５に記載の手術用カニューレ。
【請求項５７】
手術用腔に送気ガスを供給するための、及び前記手術用腔からガスを排出するための手術用カニューレであって、
カニューレ上部筐体と、
前記カニューレ上部筐体から延びる長尺状シャフトと、
を含み、
前記カニューレ上部筐体及び前記長尺状シャフトは、第１の内腔入口と第１の内腔出口とを含む第１の内腔を含み、前記第１の内腔は、前記カニューレ上部筐体の入口から送気ガスを受け取り、前記送気ガスを、前記長尺状シャフトの遠位端の近傍の出口から前記手術用腔に送達するように構成されており、前記第１の内腔入口は、第１の導管を介して前記送気ガスの第１の供給源と、及び第２の導管を介して前記送気ガスの第２の供給源と流体連通するように構成されており、
前記カニューレ上部筐体及び前記長尺状シャフトは、第２の内腔入口と第２の内腔出口とを含む第２の内腔を含み、前記第２の内腔は、前記手術用腔から前記第２の内腔入口を通してガスを受け取り、前記第２の内腔出口を通して前記ガスを排出するように構成されており、
前記第２の内腔は、前記手術用カニューレに動作的に接続された排出用要素と流体連通し、
前記送気ガスの前記第２の供給源は、前記手術用腔からのスモークを前記第２の内腔に吸引させるのに十分な圧力差をベンチュリ効果によって生じさせるのに十分なように構成された高圧送気ガス供給源である、
手術用カニューレ。
【請求項５８】
手術用腔に送気ガスを供給するための、及び前記手術用腔からガスを排出するための手術用カニューレであって、
カニューレ上部筐体と、
前記カニューレ上部筐体から延びる長尺状シャフトと、
を含み、
前記カニューレ上部筐体及び前記長尺状シャフトは、第１の内腔入口と第１の内腔出口とを含む第１の内腔を含み、前記第１の内腔は、前記カニューレ上部筐体の入口から送気ガスを受け取り、前記送気ガスを、前記長尺状シャフトの遠位端の近傍の出口から前記手術用腔に送達するように構成されており、前記第１の内腔入口は、前記送気ガスの供給源と流体連通しており、
前記カニューレ上部筐体及び前記長尺状シャフトは、第２の内腔入口と複数の第２の内腔出口とを含む第２の内腔を含み、前記第２の内腔は、前記手術用腔から前記第２の内腔入口を通してガスを受け取り、前記複数の第２の内腔出口を通して前記ガスを排出するように構成されており、
前記第２の内腔は、前記手術用カニューレに動作的に接続された排出用要素と流体連通し、
前記カニューレ上部筐体は、ねじ山と複数の周方向に向けられたスロットとを含む回転可能な近位キャップに接続されるように構成されており、前記スロットは、前記回転可能なキャップの回転時に、前記複数の第２の内腔出口からの排出を遮断し、又は少なくとも一部可能にし、前記ガスの排出速度を制御するように構成されている、
手術用カニューレ。
【発明の詳細な説明】
【技術分野】
【０００１】
本開示は、幾つかの態様において、特に医療処置中に、患者にガスを供給するように構成された加湿器システム及び加湿器システムの構成要素に関する。
【背景技術】
【０００２】
様々な医療処置では、医療処置中に、患者にガス、典型的には二酸化炭素を提供することを必要とする。例えば、２つの一般的な医療処置のカテゴリーでは、多くの場合、患者にガスを提供することを必要とする。これらには、閉鎖型医療処置及び開放型医療処置が含まれる。
【０００３】
閉鎖型医療処置では、気腹器は、医療処置中に、患者の体腔にガスを送達し、体腔を膨らませるために及び／又は体腔の潰れに耐えるために配置される。このような医療処置の例としては、腹腔鏡検査及び内視鏡検査が挙げられるが、気腹器は、必要に応じて、任意の他の種類の医療処置で使用されてもよい。内視鏡処置では、１つ以上の自然開口部、小穿孔、又は切開を通して内視鏡等を挿入し、体腔の画像を生成することにより、医療関係者が体腔を可視化することを可能にする。腹腔鏡検査処置では、医療関係者は、通常、１つ以上の自然開口部、小穿孔、又は切開を通して手術用機器を挿入し、体腔内の手術処置を実施する。幾つかの場合では、体腔を評価するために最初に内視鏡処置を行ってもよく、その後、体腔で手術を行うために次の腹腔鏡検査を行ってもよい。このような処置は、例えば、腹膜腔に対して、又は胸腔鏡検査、結腸内視鏡検査、胃鏡検査、若しくは気管支鏡検査中に広く使用されている。
【０００４】
開放型医療処置、例えば、切開手術では、ガスは手術用腔を満たすために使用され、余剰ガスは開口部から外に溢れる。ガスはまた、例えば、識別可能な腔のない露出した身体部位を覆うガスの層を提供するために使用され得る。これらの処置においては、ガスは、腔を膨らませる役割を果たすのではなく、露出した内部身体部位を、加熱され加湿された無菌ガスの層で覆うことにより乾燥及び感染を防止するか又は低減するために使用され得る。
【０００５】
これらの医療処置中にガスを送達するための装置は、加圧ガスの遠隔供給源、例えば、病院内のガス供給システムに接続されるように配置された気腹器を含み得る。装置は、ガス供給源からのガスの圧力及び／又は流れを、通常、装置に接続され、体腔に挿入されたカニューレ若しくは針を介して、又は創傷若しくは手術用腔を覆い且つその中にガスを拡散させるために配置された拡散器を介して、体腔に送達するのに適したレベルに制御するように動作することができる。
【０００６】
ヒト患者の体内温度は、通常、約３７℃である。装置から送達されるガスの温度を典型的なヒトの体温にできる限り一致させることが望ましい場合がある。体内温度を上回るか又は下回る、例えば体内温度を、例えば１℃、２℃、３℃、４℃、５℃、６℃、７℃、８℃、９℃、１０℃、若しくは１５℃を上回るか若しくは下回るか、又は前述の値の任意の２つを含む範囲で上回るか若しくは下回るなどでガスを送達することが望ましい場合がある。所望の一定の若しくは可変の湿度及び／又は所望の一定の若しくは可変の温度のガスを送達することも望ましい場合がある。所望のガス温度及び／又は湿度（本明細書では、標準とも称される場合がある）のガスは、例えば、乾燥低温ガス、乾燥高温ガス、加湿低温ガス、又は加湿高温ガスであり得る。更に、患者の体に送達されるガスは、相対的に乾燥することがあり、細胞死又は癒着などの体腔の損傷を引き起こすおそれがある。多くの場合、加湿器が気腹器に動作的に結合される。装置のコントローラは、ガス流路内に位置する加湿器のヒータに通電し、ガスストリームが患者の体腔に入る前にガスストリームに加湿流体（例えば水）蒸気を供給することができる。
【０００７】
加湿ガスは、加熱もされてよい更なるチュービングを介して患者に送達され得る。気腹器と加湿器は、適切なチュービング及び／若しくは電気接続を介して共に接続された別個の筐体内に位置し得るか、又は適切なチュービングを介して遠隔ガス供給部に接続されるように配置された共通の筐体内に位置し得る。
【発明の概要】
【発明が解決しようとする課題】
【０００８】
腹腔鏡下手術中には、一般に、手術用腔、例えば、特定の腹部手術では気腹内で切除又は凝固を生じさせるための何らかの形態の電気外科手術、電気焼灼術、レーザー切除若しくは焼灼、又は他の種類のエネルギーが存在する。これにより、特に、顕著なガス漏れ又は吸引／灌流がない場合には、密閉及び加圧された手術用腔、例えば、腹膜内で時間の経過とともに濃度が上昇するおそれがあるサージカルスモークが発生する。スモークプルームは上昇し、視界を遮断するおそれがある。更なるスモークプルームがスコープに接触する又はスコープ上に粒子を堆積させるおそれがある。スコープに接触するスモークプルームはまた、スコープ上の曇り又は結露を引き起こす可能性がある。換言すると、気腹内及び視野内の高濃度のスモークは、トロカールを介して挿入されたレンズを通して腹膜内の空間を観察する際に光学的透明度を著しく妨げるおそれがある。トロカールは、カニューレ及び閉塞具を含み得る。排出又は吸引を使用しなければ、外科医は、一般に、ある量のガスを気腹内から脱気によって放出し、その後、再送気する以外の選択肢を有しない。これは不便であり得るとともに、手術室及び麻酔の時間を不必要に増加させる可能性がある。したがって、スモークプルーム及びスモーク濃度を排出することが有用となる可能性があり、これにより、結露及び／又は曇りを防止する又は少なくとも低減することができる。結露は、医療機器の様々な表面上に発生し得る。医療機器の可視面上に結露が形成すると、これは、レンズ又は医療機器の任意の他の可視面（例えば、鏡又は透明若しくは半透明窓など）を介した視認性の障害として顕在化する曇り効果として観察される。結露が医療機器の様々な表面上に形成すると、結露は、合体して水滴になり得る。これは、可視面上で直接発生し得る、又は他の表面上で発生し、その後、可視面に移動し得る若しくは可視面上に堆積され得る。したがって、本明細書で使用する場合、結露及び／又は曇りは、一般的な結露、及び幾つかの場合では、特に、可視面上の結露（即ち曇り）に関するものを意味する。
【０００９】
幾つかの構成では、本明細書に開示されるシステム及び方法は、ガス（及び電気外科手術、電気焼灼術、レーザー切除若しくは焼灼中、又は他の種類のエネルギーにより生成されたスモークプルーム）を気腹内から有利に排出することができ、これにより、少なくとも２つの利点、即ち、気腹内のスモーク濃度を希釈して視認性を向上させることができ、且つまた、気腹器からのＣＯ2の一定の流れを確保することができ、観察領域にわたり／観察領域上に「清浄な」ＣＯ2ガスの気流を生成し、これにより、レンズと手術領域との間の領域内の視界を妨げるスモークを運び去る又は押しのける、が達成される。排出流量は、送達流量と関連し得る。一例では、排出速度（即ち排出流量）は、手術部位内における指定圧力を達成するように設定されてもよい。別の説明では、排出速度は、手術用腔が所定の圧力率に維持されるようなものである。幾つかの実施形態では、排出流量は、所定の流量であってもよい。例えば、流量は、使用者によって設定されてもよい。使用される排出用要素は、所定の流量を達成するように作成又は調整されてもよい。しかしながら、気腹の安定性及び圧力に悪影響を及ぼすという観点から、排出の際にはトレードオフが存在する場合がある。
【００１０】
幾つかの構成では、システム及び方法は、手術室に排出されるガスから有害な化学物質及び生体粒子を有利に濾過して除去することができる。手術環境において高まっている懸念は、電気外科手術、電気焼灼術、レーザー切除若しくは焼灼中、又は他の種類のエネルギーで生成されるスモークによる手術スタッフ（及び患者）への危険性である。研究では、サージカルスモークは癌又は他の健康問題をもたらす可能性があり、人間が吸入すると有害となり得る多くの化学物質及び生体粒子を含むことが示されている。したがって、幾つかの場合では、一体型のスモークフィルタ、又はフィルタを取り外し可能なアタッチメントとして排出出口に有する性能を含むと有利になり得る。手術室におけるサージカルスモークの濾過を管理する基準は、世界中で未だ作成及び実践されているところであり、これら基準の最も厳しいものでは、約０．１〜０．２ミクロンまでの粒子の濾過を９９．９９９％の効率で規定する。幾つかの実施形態では、場合によっては、臭気を除去するためのカーボンフィルタステージに加えて、０．１２ミクロン以下を９９．９９９５％以上の効率で濾過するＵＬＰＡフィルタを含み得るフィルタが使用され得る。スモークの濾過と除去の両方を、幾つかの異なる手法で組み合わせることができる。
【課題を解決するための手段】
【００１１】
本開示は、前述の課題及び／又は他の課題に対処することができる、手術用腔からのスモークを含むガスを排出するように構成された１つ、２つ、又は２つより多い内腔を有するカニューレの例を提供する。カニューレは、単回使用（使い捨て）のもの又は再利用可能のものであり得る。代替的に、カニューレの部品は、単回使用（使い捨て）のもの又は再利用可能のものであり得る。カニューレは、生体適合性材料及び／又は滅菌可能な材料で作成されてもよい。本開示では、排出用カニューレの異なる例の特徴を、互いに組み込むこと又は組み合わせることができる。
【００１２】
幾つかの態様では、本明細書に開示されるのは、手術用腔に送気ガスを供給するための、及び手術用腔からガスを排出するための手術用カニューレであって、カニューレ上部筐体と、カニューレ上部筐体から延びる長尺状シャフトと、を含む、手術用カニューレである。カニューレ上部筐体及び長尺状シャフトは、入口と出口とを含む第１の内腔を含む。カニューレ上部筐体及び長尺状シャフトは、第１の内腔入口と第１の内腔出口とを含む第１の内腔を含む。第１の内腔は、カニューレ上部筐体の入口から送気ガスを受け取り、送気ガスを、長尺状シャフトの遠位端の近傍の出口から手術用腔に送達するように構成されている。第１の内腔入口は、送気ガスの供給源と流体連通する。カニューレ上部筐体及び長尺状シャフトは、入口と出口とを含む第２の内腔を含む。カニューレ上部筐体及び長尺状シャフトは、第２の内腔入口と第２の内腔出口とを含む第２の内腔を含む。第２の内腔は、手術用腔から第２の内腔入口を通してガスを受け取り、第２の内腔出口を通して手術用腔の外にガスを排出するように構成され得る。第２の内腔は、手術用カニューレに動作的に接続された排出用要素と流体連通する。
【００１３】
幾つかの構成では、第１の内腔と第２の内腔は、互いに少なくとも部分的に若しくは完全に入れ子になっている、又は互いに同心である。
【００１４】
幾つかの構成では、第１の内腔は、第２の内腔に対して半径方向にオフセットしている、又は第２の内腔は、第１の内腔に対して半径方向にオフセットしている。
【００１５】
幾つかの構成では、第２の内腔は、第１の内腔の直径よりも大きい、第１の内腔の直径よりも小さい、又は第１の内腔の直径に等しい直径を含む。
【００１６】
幾つかの構成では、排出用要素は、手術用腔に対する圧力差によって生じる受動排出を提供するように構成されている。
【００１７】
幾つかの構成では、第１の内腔の入口は、ガス供給源の出口と接続するように構成されている。幾つかの構成では、第１の内腔入口は、ガス供給源出口と接続するように構成されている。
【００１８】
幾つかの構成では、第１の内腔又は第２の内腔は、第１の内腔又は第２の内腔のうちの他方を位置づける及び／又は保持するように構成された１つ以上の位置決めリブ、例えば、少なくとも２つ、３つ、又はこれより多い位置決めリブを含む。
【００１９】
幾つかの構成では、位置決めリブは、第１の内腔又は第２の内腔の内壁と一体形成されている。
【００２０】
幾つかの構成では、第１の内腔は、第２の内腔の断面積よりも大きい、第２の内腔の断面積よりも小さい、又は第２の内腔の断面積に等しい断面積を含む。
【００２１】
幾つかの構成では、第２の内腔は、半円形、三日月形、又は弓形輪郭のうちの１つを含む。
【００２２】
幾つかの構成では、第１の内腔は、円形輪郭を含む。
【００２３】
幾つかの構成では、第２の内腔は、第１の内腔に少なくとも部分的に外接する渦巻形を含む。
【００２４】
幾つかの構成では、第１の内腔は、第１の内腔内に医療機器を収容するように構成されている。
【００２５】
幾つかの構成では、カニューレは、第３の内腔を更に含み、第３の内腔は、第３の内腔内に医療機器を収容するように構成されている。
【００２６】
幾つかの構成では、カニューレはまた、第２の内腔と流体連通する１つ以上のフィルタを含む。
【００２７】
幾つかの構成では、フィルタは、カニューレ上部筐体に取り外し可能に結合された排出用要素内に収容されている。
【００２８】
幾つかの構成では、排出用要素は、クリップによって、カニューレ上部筐体に取り外し可能に結合されている。
【００２９】
幾つかの構成では、フィルタは、カニューレ上部筐体及び／又は第２の内腔と一体形成されている。
【００３０】
幾つかの構成では、フィルタは、カニューレ上部筐体内に配置されている。
【００３１】
幾つかの構成では、フィルタは、カニューレ上部筐体の近位端に接続された導管に動作的に接続されている。
【００３２】
幾つかの構成では、第２の内腔の出口は、カニューレ上部筐体の長手方向軸線に対して角度を成している。幾つかの構成では、第２の内腔出口は、カニューレ上部筐体の長手方向軸線に対して角度を成している。
【００３３】
幾つかの構成では、第２の内腔の出口角度は約４５度である。幾つかの構成では、第２の内腔出口の角度は約４５度である。
【００３４】
幾つかの構成では、カニューレはまた、医療機器に対して封止するように構成されたシールを含み、シールは、カニューレ上部筐体内に位置し、第１の内腔及び第２の内腔のうちの少なくとも１つに対して整列している。
【００３５】
幾つかの構成では、シールは、ダックビル型シール又はフラップシールである。
【００３６】
幾つかの構成では、本明細書に開示されるのは、手術用腔に送気ガスを供給するための、及び手術用腔からガスを排出するための手術用カニューレであって、カニューレ上部筐体と、カニューレ上部筐体から延びる長尺状シャフトと、を含む、手術用カニューレである。カニューレ上部筐体及び長尺状シャフトは、カニューレ上部筐体の入口から送気ガスを受け取り、送気ガスを、長尺状シャフトの遠位端の近傍で手術用腔に送達するように構成された内腔を含む。内腔入口は、送気ガスの供給源と流体連通する。内腔はまた、手術用腔からガスを受け取り、手術用腔から手術用腔の外にガスを排出するように構成されている。カニューレはまた、内腔と流体連通する排出用要素を含む。排出用要素は、手術用腔からのガスが手術用カニューレから排出される前に、手術用腔からのガスを濾過するように構成されたフィルタを更に含む。
【００３７】
幾つかの構成では、排出用要素は、カニューレ上部筐体及び／又は内腔に組み込まれている。
【００３８】
幾つかの構成では、内腔は、内腔に沿って部分的に軸方向に延びる壁を含み、壁は、送気ガスを手術用腔に送達するように構成された第１の通路と、手術用腔からガスを排出するように構成された第２の通路とに内腔を分割するように構成されている。
【００３９】
幾つかの構成では、第１の通路は、第２の通路と同心である、第２の通路からオフセットしている、及び／又は第２の通路から流体的に隔離されている。
【００４０】
幾つかの構成では、排出用要素は、カニューレ上部筐体に取り外し可能に取り付けられている。
【００４１】
幾つかの構成では、排出用要素は、第１のロック機構を更に含み、第１のロック機構は、カニューレ上部筐体上の第２の相補的なロック機構に排出用要素をロックするように構成されている。
【００４２】
幾つかの構成では、第１のロック機構は、第１のロック機構が第２のロック機構にロックされると、排出用要素とカニューレ上部筐体との間にシールを作成する。
【００４３】
幾つかの構成では、排出用要素はまた、少なくとも１つの排出用アパーチャを含み、フィルタは、排出用アパーチャに隣接して配置され、手術用腔からのガスがフィルタを通過して、少なくとも１つの排出用アパーチャから出るように構成されている。
【００４４】
幾つかの構成では、カニューレはまた、複数の排出用アパーチャを含み、手術用腔からのガスの排出は、手術用腔と周囲空気との間の圧力差によって受動的に起こる。
【００４５】
幾つかの構成では、排出用要素はまた、排出弁、例えば電磁弁を含む。
【００４６】
幾つかの構成では、排出用要素はまた、１つ以上のセンサを含み、１つ以上のセンサは、温度、圧力、及び湿度のうちの少なくとも１つを検知するように構成されている。
【００４７】
幾つかの構成では、排出用要素はまた、フィルタの一部分を加熱し、フィルタの結露を防止するように構成された内蔵型の加熱要素を含む。
【００４８】
幾つかの構成では、排出用要素はまた、フィンを含み、フィンは、カニューレ上部筐体内に延び、ガス入口ポートに隣接して配置され、ガス入口ポートから送気ガスの流れを案内する。
【００４９】
幾つかの構成では、また、本明細書に開示されるのは、手術用腔に送気ガスを供給するための、及び手術用腔からガスを排出するための手術用カニューレであって、カニューレ上部筐体と、カニューレ上部筐体から延びる長尺状シャフトと、第２の内腔と流体連通する第１のフィルタ及び第２のフィルタであって、第２のフィルタは、第１のフィルタから遠位に離隔している、第１のフィルタ及び第２のフィルタと、を含む、手術用カニューレである。カニューレ上部筐体及び長尺状シャフトは、入口と出口とを含む第１の内腔を含み得る。カニューレ上部筐体及び長尺状シャフトは、第１の内腔入口と第１の内腔出口とを含む第１の内腔を含み得る。第１の内腔は、カニューレ上部筐体の入口から送気ガスを受け取り、送気ガスを、長尺状シャフトの遠位端の近傍の出口から手術用腔に送達するように構成され得る。第１の内腔入口は、送気ガスの供給源と流体連通する。カニューレ上部筐体及び長尺状シャフトは、入口と出口とを含む第２の内腔を含み得る。カニューレ上部筐体及び長尺状シャフトは、第２の内腔入口と第２の内腔出口とを含む第２の内腔を含み得る。第２の内腔は、手術用腔から第２の内腔入口を通してガスを受け取り、第２の内腔出口を通して手術用腔の外にガスを排出するように構成され得る。第２の内腔は、手術用カニューレに動作的に接続された排出用要素と流体連通する。第１のフィルタは、カニューレ上部筐体に取り外し可能に結合された排出用要素内に収容されている。
【００５０】
幾つかの構成では、第２のフィルタは、第１のフィルタの遠位に配置されており、側壁ガス排出用出口ポートを含む。
【００５１】
幾つかの構成では、第２のフィルタはまた、カニューレ上部筐体内に配置されている。
【００５２】
幾つかの構成では、本明細書に開示されるのは、手術用腔に送気ガスを供給するための、及び手術用腔からガスを排出するためのカニューレである。カニューレは、カニューレ上部筐体と、カニューレ上部筐体から延びる長尺状シャフトと、を含み得る。カニューレ上部筐体及び長尺状シャフトは、入口と出口とを含む第１の内腔を含み、第１の内腔は、カニューレ上部筐体の入口から送気ガスを受け取り、送気ガスを、長尺状シャフトの遠位端の近傍の出口から手術用腔に送達するように構成されている。第１の内腔入口は、送気ガスの供給源と流体連通する。カニューレ上部筐体及び長尺状シャフトは、入口と出口とを含む第２の内腔を含み、第２の内腔は、手術用腔から第２の内腔入口を通してガスを受け取り、第２の内腔出口を通してガスを排出するように構成されている。第２の内腔は、手術用カニューレに動作的に接続された排出用要素と流体連通する。カニューレは、第２の内腔と流体連通するブロワユニットを更に含み、ブロワユニットは、ファンとブロワ駆動ユニットとを含み、ブロワユニットは、手術用腔からのガスを第２の内腔に吸引するように構成されている。カニューレは、手術用腔からのガスを第２の内腔に吸引するように構成された１つ以上の吸引ユニットを更に含み得る、又は手術用腔からのガスを第２の内腔に吸引するように構成された１つ以上の吸引ユニットに接続され得る。カニューレは、第１の内腔に送達されるガスを加湿又は加熱するように構成された加湿器又はヒータを更に含み得る、又は第１の内腔に送達されるガスを加湿又は加熱するように構成された加湿器又はヒータに接続され得る。
【００５３】
幾つかの構成では、ブロワ駆動ユニットは、磁気円形リングを含む。
【００５４】
幾つかの構成では、また、本明細書に開示されるのは、手術用腔に送気ガスを供給するための、及び濾過された送気ガスを手術用腔に再循環させるためのマルチカニューレ手術用カニューレシステムである。カニューレシステムは、第１のカニューレであって、第１の内腔であって、第１の内腔内に第１の医療機器を収容するように構成された第１の内腔と、第２の内腔と、第２の内腔と流体連通するブロワユニットと、第２の内腔と流体連通する少なくとも１つのフィルタと、を含み、ブロワユニットは、ファンとブロワ駆動ユニットとを含み、ブロワユニットは、手術用腔からのガスを第２の内腔に吸引するように構成されており、第２の内腔は、手術用腔からの吸引されたガスを受け取るように構成されている、第１のカニューレと、第２のカニューレであって、第１の内腔であって、第１の内腔内に第２の医療機器を収容するように構成された第１の内腔と、第２の内腔であって、第２のカニューレの第２の内腔は、導管を介して第１のカニューレの第２の内腔と流体連通するように構成されており、第２のカニューレの第２の内腔は、濾過された送気ガスを手術用腔に再循環させるように構成されている、第２の内腔と、を含む、第２のカニューレと、を含む。
【００５５】
幾つかの構成では、第１のカニューレ及び第２のカニューレのうちの少なくとも１つは、送気ガスの供給源に接続可能な送気ガス入口を更に含む。
【００５６】
幾つかの構成では、また、本明細書に開示されるのは、手術用腔に送気ガスを供給するための、及び濾過された送気ガスを手術用腔に再循環させるための手術用カニューレシステムである。カニューレシステムは、第１の内腔であって、第１の内腔内に第１の医療機器を収容するように構成された第１の内腔と、第２の内腔と、第２の内腔と流体連通するブロワユニットと、第２の内腔と流体連通する少なくとも１つのフィルタと、を含み、ブロワユニットは、ファンとブロワ駆動ユニットとを含み、ブロワユニットは、手術用腔からのガスを第２の内腔に吸引するように構成されており、第２の内腔は、手術用腔からの吸引されたガスを受け取るように構成されている、カニューレを含む。カニューレは、少なくとも１つのフィルタを介して第１のカニューレの第２の内腔と連通する第３の内腔を更に含み、第３の内腔は、濾過された送気ガスを手術用腔に再循環させるように構成されている。カニューレは、送気ガスの供給源に接続可能な送気ガス入口を更に含み得る。
【００５７】
幾つかの構成では、また、本明細書に開示されるのは、手術用腔に送気ガスを供給するための、及び手術用腔からガスを排出するための手術用カニューレである。カニューレは、カニューレ上部筐体と、カニューレ上部筐体から延びる長尺状シャフトと、を含む。カニューレ上部筐体及び長尺状シャフトは、入口と出口とを含む第１の内腔を含む。カニューレ上部筐体及び長尺状シャフトは、第１の内腔入口と第１の内腔出口とを含む第１の内腔を含み得る。第１の内腔は、カニューレ上部筐体の入口から送気ガスを受け取り、送気ガスを、長尺状シャフトの遠位端の近傍の出口から手術用腔に送達するように構成され得る。第１の内腔入口は、送気ガスの供給源と流体連通する。カニューレ上部筐体及び長尺状シャフトは、入口と出口とを含む第２の内腔を含む。カニューレ上部筐体及び長尺状シャフトは、第２の内腔入口と第２の内腔出口とを含む第２の内腔を含み得る。第２の内腔は、手術用腔から第２の内腔入口を通してガスを受け取り、第２の内腔出口を通してガスを排出するように構成され得る。第２の内腔は、手術用カニューレに動作的に接続された排出用要素と流体連通する。カニューレは、第２の内腔出口の近傍のシールに動作的に接続された制御部を更に含む。制御部は、非作動状態と作動状態とを有し、作動状態にある制御部はシールを開放させ、第２の内腔出口を通したガスの排出を可能にする。
【００５８】
幾つかの構成では、制御部は、ボタンを含み得る。
【００５９】
幾つかの構成では、また、本明細書に開示されるのは、手術用腔に送気ガスを供給するための、及び手術用腔からガスを排出するための手術用カニューレである。カニューレは、カニューレ上部筐体と、カニューレ上部筐体から延びる長尺状シャフトとを含む。カニューレ上部筐体及び長尺状シャフトは、入口と出口とを含む第１の内腔を含む。カニューレ上部筐体及び長尺状シャフトは、第１の内腔入口と第１の内腔出口とを含む第１の内腔を含み得る。第１の内腔は、カニューレ上部筐体の入口から送気ガスを受け取り、送気ガスを、長尺状シャフトの遠位端の近傍の出口から手術用腔に送達するように構成され得る。第１の内腔入口は、第１の導管を介して送気ガスの第１の供給源と、及び第２の導管を介して送気ガスの第２の供給源に流体連通するように構成されている。カニューレ上部筐体及び長尺状シャフトは、入口と出口とを含む第２の内腔を含む。カニューレ上部筐体及び長尺状シャフトは、第２の内腔入口と第２の内腔出口とを含む第２の内腔を含む。第２の内腔は、手術用腔から第２の内腔入口を通してガスを受け取り、第２の内腔出口を通してガスを排出するように構成され得る。第２の内腔は、手術用カニューレに動作的に接続された排出用要素と流体連通する。送気ガスの第２の供給源は、手術用腔からのスモークを第２の内腔に吸引させるのに十分な圧力差をベンチュリ効果によって生じさせるのに十分なように構成された高圧送気ガス供給源である。
【００６０】
幾つかの構成では、カニューレは、カニューレ内に配置された１つ以上の加熱要素を含む。
【００６１】
幾つかの構成では、加熱要素は、ガスを送達する内腔及び／又は排出用経路内に配置され、ガスを送達する内腔及び／又は排出用経路に沿ってある程度の距離延びる。
【００６２】
幾つかの構成では、加熱要素は、シャフト内に配置されてもよく、また、排出用要素と熱連通してもよい。加熱要素は、排出用カニューレの結露及び／又は曇りを防止するために使用される。
【００６３】
幾つかの構成では、更に本明細書に開示されるのは、手術用腔に送気ガスを供給するための、及び手術用腔からガスを排出するための手術用カニューレである。カニューレは、カニューレ上部筐体と、カニューレ上部筐体から延びる長尺状シャフトとを含む。カニューレ上部筐体及び長尺状シャフトは、入口と出口とを含む第１の内腔を含む。カニューレ上部筐体及び長尺状シャフトは、第１の内腔入口と第１の内腔出口とを含む第１の内腔を含み得る。第１の内腔は、カニューレ上部筐体の入口から送気ガスを受け取り、送気ガスを、長尺状シャフトの遠位端の近傍の出口から手術用腔に送達するように構成することができ、第１の内腔入口は、送気ガスの供給源と流体連通する。カニューレ上部筐体及び長尺状シャフトは、入口と複数の出口とを含む第２の内腔を含む。カニューレ上部筐体及び長尺状シャフトは、第２の内腔入口と複数の第２の内腔出口とを含む第２の内腔を含む。第２の内腔は、手術用腔から第２の内腔入口を通してガスを受け取り、第２の内腔出口を通してガスを排出するように構成され得る。第２の内腔は、手術用腔から第２の内腔入口を通してガスを受け取り、複数の第２の内腔出口を通してガスを排出するように構成され得る。第２の内腔は、手術用カニューレに動作的に接続された排出用要素と流体連通する。カニューレ上部筐体は、ねじ山と複数の周方向に向けられたスロットとを含む回転可能な近位キャップに接続されるように構成されており、スロットは、回転可能なキャップの回転時に、第２の内腔の複数の出口からの排出を遮断し、又は少なくとも一部可能にし、ガスの排出速度を制御するように構成されている。カニューレ上部筐体は、ねじ山と複数の周方向に向けられたスロットとを含む回転可能な近位キャップに接続されるように構成されており、スロットは、回転可能なキャップの回転時に、複数の第２の内腔出口からの排出を遮断し、又は少なくとも一部可能にし、ガスの排出速度を制御するように構成されている。
【００６４】
本開示のこれら及び他の特徴、態様、及び利点を、特定の実施形態を概略的に示すことを意図し、本開示を限定しない特定の実施形態の図面を参照しながら記載する。幾つかの場合では、三次元カニューレの幾つかの断面図及び横断面図においては、明確化の目的で「スライス」が示される。当業者であれば、これらの図が、三次元のカニューレのスライスを示すことを理解できるであろう。幾つかの場合では、明確化のために、突出部表面は示されていない。例えば、突出穴表面は、幾つかの図では示されていない。
【図面の簡単な説明】
【００６５】
【図１】手術で使用される例示的な医療ガス送達装置を概略的に示す。
【図２】手術で使用される例示的な医療ガス送達装置を概略的に示す。
【図３Ａ】取り出し可能なフィルタとシールとを含む二重同心内腔カニューレの斜視図を示す。
【図３Ｂ】取り出し可能なフィルタとシールとを含む二重同心内腔カニューレの長手方向断面分解図を示す。
【図３Ｃ】シール筐体の断面図を示す。
【図４】図３Ａ及び図３Ｂに示される、二重同心内腔を含む排出用カニューレ実施形態の非分解断面図を示す。
【図５Ａ】取り出し可能なフィルタとシールとを含む排出用要素を含むカニューレの別の実施形態の分解図である。
【図５Ｂ】図５Ａのカニューレ４００の分解図実施形態の断面図を示す。
【図６】図５Ａ〜図５Ｂのカニューレの横断面図を示す。
【図６Ａ】複数の離隔されたフィルタ要素を含み得るカニューレの別の実施形態の等角図である。
【図７Ａ】排出用アパーチャを有する排出用要素を含むカニューレの近位端を示す。
【図７Ｂ】図７Ａの線７Ｂ−７Ｂで取った断面図である。
【図７Ｃ】排出用カニューレとともに利用され得る排出弁の実施形態を示す。
【図７Ｄ】排出用カニューレとともに利用され得る排出弁の実施形態を示す。
【図７Ｅ】排出用カニューレとともに利用され得る排出弁の実施形態を示す。
【図８Ａ】弁を含んでも含まなくてもよい、排出用カニューレ内に含まれ得る追加的な機械的／受動排出実施形態を示す。
【図８Ｂ】弁を含んでも含まなくてもよい、排出用カニューレ内に含まれ得る追加的な機械的／受動排出実施形態を示す。
【図８Ｃ】弁を含んでも含まなくてもよい、排出用カニューレ内に含まれ得る追加的な機械的／受動排出実施形態を示す。
【図８Ｄ】弁を含んでも含まなくてもよい、排出用カニューレ内に含まれ得る追加的な機械的／受動排出実施形態を示す。
【図９Ａ】電気的排出特徴を含み得る排出用カニューレの実施形態の図を示す。
【図９Ｂ】電気的排出特徴を含み得る排出用カニューレの実施形態の図を示す。
【図１０Ａ】排出用カニューレの電気的要素に対する、電源の追加的な例の分離構成を示す。
【図１０Ｂ】排出用カニューレの電気的要素に対する、電源の追加的な例の接続構成を示す。
【図１１Ａ】デュアル内腔排出用カニューレ１１００の一実施形態の断面図を示す。
【図１１Ｂ】デュアル内腔排出用カニューレ１１００の一実施形態の断面図を示す。
【図１２Ａ】取り出し可能なフィルタとシールとを含む排出用要素を含むカニューレの別の実施形態の分解図を示す。
【図１２Ｂ】取り出し可能なフィルタとシールとを含む排出用要素を含むカニューレの別の実施形態の分解図を示す。
【図１３】図１２Ａ及び図１２Ｂに示される、二重オフセット非同心内腔を含む排出用カニューレ実施形態の非分解長手方向断面図を示す。
【図１４】二重オフセット非同心内腔カニューレの別の実施形態の非分解長手方向断面図を示す。
【図１４Ａ】第１のポートと第２のポートとを含み得る二重オフセット非同心内腔カニューレの別の実施形態の長手方向断面図を示す。
【図１４Ｂ】カニューレ長尺状シャフトの側壁に第１のポートと第２のポートとを含み得る、二重オフセット非同心内腔カニューレの別の実施形態の長手方向断面図を示す。
【図１５Ａ】排出弁を有する排出用要素を含むカニューレの近位端を示す。
【図１５Ｂ】弁を、弁を横切る第２の内腔の流路に対して示す、図１５Ａの拡大図である。
【図１５Ｃ】図１５Ａの線１５Ｃ−１５Ｃで取った断面図である。
【図１６】排出用カニューレ内に含まれ得る追加的な機械的／受動排出実施形態を概略的に示す。
【図１７Ａ】電気的排出特徴を含み得る排出用カニューレの一実施形態を示す。
【図１７Ｂ】電気的排出特徴を含み得る排出用カニューレの一実施形態を示す。
【図１７Ｃ】電気的排出特徴を含み得る排出用カニューレの一実施形態を示す。
【図１８】オフセットデュアル内腔排出用カニューレの一実施形態の長手方向断面図を示す。
【図１９Ａ】オフセット内腔形状及び／又はカニューレテーパ構成の様々な非限定的な実施形態を示す。
【図１９Ｂ】オフセット内腔形状及び／又はカニューレテーパ構成の様々な非限定的な実施形態を示す。
【図１９Ｃ】オフセット内腔形状及び／又はカニューレテーパ構成の様々な非限定的な実施形態を示す。
【図２０Ａ】オフセット内腔形状及び／又はカニューレテーパ構成の様々な非限定的な実施形態を示す。
【図２０Ｂ】オフセット内腔形状及び／又はカニューレテーパ構成の様々な非限定的な実施形態を示す。
【図２０Ｃ】オフセット内腔形状及び／又はカニューレテーパ構成の様々な非限定的な実施形態を示す。
【図２０Ｄ】オフセット内腔形状及び／又はカニューレテーパ構成の様々な非限定的な実施形態を示す。
【図２１Ａ】取り出し可能なフィルタとシールとを含む排出用要素を含むカニューレの別の実施形態の分解図を示す。
【図２１Ｂ】取り出し可能なフィルタとシールとを含む排出用要素を含むカニューレの別の実施形態の分解図を示す。
【図２２】図２１Ａ及び図２１Ｂに示される排出用カニューレ実施形態の非分解長手方向断面図を示す。
【図２３Ａ】上述したような排出用アパーチャを有する排出用要素を含むカニューレの近位端を示す。
【図２３Ｂ】図２３Ａの拡大図である。
【図２４】排出用カニューレ内に含まれ得る追加的な機械的／受動排出実施形態を概略的に示す。
【図２５Ａ】電気的排出特徴を含み得る単一内腔排出用カニューレの一実施形態を示す。
【図２５Ｂ】電気的排出特徴を含み得る単一内腔排出用カニューレの一実施形態を示す。
【図２５Ｃ】図２５Ａの線２５Ｃ−２５Ｃで取った断面図である。
【図２６Ａ】デュアル内腔排出用カニューレの一実施形態の断面図を示す。
【図２６Ｂ】デュアル内腔排出用カニューレの一実施形態の断面図を示す。
【図２７Ａ】ブロワユニットを含む排出用カニューレの別の実施形態の図である。
【図２７Ｂ】ブロワユニットを含む排出用カニューレの別の実施形態の図である。
【図２７Ｃ】ブロワユニットを含む排出用カニューレの別の実施形態の図である。
【図２８】清浄な送気ガス、例えば二酸化炭素を、二次カニューレを通して再循環させるように構成されたマルチカニューレシステムの一実施形態の長手方向断面図である。
【図２９】清浄な送気ガスを、単一のカニューレを通して再循環させるように構成されたカニューレシステムの一実施形態の長手方向断面図である。
【図３０Ａ】プランジャの起動時にスモークを除去するように構成されたプランジャ特徴を含むカニューレの一実施形態の断面図を示す。
【図３０Ｂ】プランジャの起動時にスモークを除去するように構成されたプランジャ特徴を含むカニューレの一実施形態の断面図を示す。
【図３０Ｃ】プランジャの起動時にスモークを除去するように構成されたプランジャ特徴を含むカニューレの一実施形態の断面図を示す。
【図３１Ａ】手術用気腹腔からのガス、スモーク、及び他の不要物質の高圧ベンチュリ排出用に構成されたカニューレの部分切欠斜視図を示す。
【図３１Ｂ】図３１Ａのカニューレの長手方向断面図である。
【図３２Ａ】排出制御特徴を有する排出用カニューレの等角図を示す。
【図３２Ｂ】排出制御特徴を有する排出用カニューレの断面図を示す。
【図３３Ａ】カニューレ自体に必ずしも組み込まれる必要はなく、むしろ、カニューレのカニューレ上部筐体の近位端の近位にある導管内に存在し得るフィルタ要素の実施形態を示す。
【図３３Ｂ】カニューレ自体に必ずしも組み込まれる必要はなく、むしろ、カニューレのカニューレ上部筐体の近位端の近位にある導管内に存在し得るフィルタ要素の実施形態を示す。
【図３３Ｃ】カニューレ自体に必ずしも組み込まれる必要はなく、むしろ、カニューレのカニューレ上部筐体の近位端の近位にある導管内に存在し得るフィルタ要素の実施形態を示す。
【図３３Ｄ】カニューレ自体に必ずしも組み込まれる必要はなく、むしろ、カニューレのカニューレ上部筐体の近位端の近位にある導管内に存在し得るフィルタ要素の実施形態を示す。
【図３４Ａ】排出用カニューレ実施形態及び閉塞具の非分解断面図を示す。
【図３４Ｂ】閉塞具を取り外した、図３４Ａの排出用カニューレ実施形態の非分解断面図を示す。
【図３５Ａ】手術用機器を受け入れ、複数の内腔カニューレの内腔内壁の一部を形成するように構成された排出用カニューレの断面図を示す。
【図３５Ｂ】手術用機器を受け入れ、複数の内腔カニューレの内腔内壁の一部を形成するように構成された排出用カニューレの断面図を示す。
【発明を実施するための形態】
【００６６】
特定の実施形態及び例を以下に記載するが、当業者であれば、本開示は、具体的に開示される実施形態及び／又は使用並びにそれらの明白な修正物及び等価物を超える範囲に及ぶことを理解するであろう。したがって、本明細書に開示される開示の範囲は、以下に記載する任意の特定の実施形態によって限定されるべきではないものとされる。
【００６７】
例示的な医療ガス送達システム
例えば、患者の体（例えば、腹壁など）に作られた切開を通して挿入されたカニューレを介して、腹膜腔などの手術用腔にガスを導入することができる。カニューレは、気腹器に結合され得る。気腹器からのガス流は、手術用腔を膨らませるために（例えば、腹部内の、ガスで満たされる腔である気腹を維持するなどのために）増加させることができる。導入されるガスは、手術用腔を膨らませることができる。医療機器は、カニューレを通して、膨らませた手術用腔に挿入することができる。医療機器は、手術用機器であってもよい。例えば、内視鏡を腔に挿入することができ、腔内の視認性は、例えば空気若しくは二酸化炭素などのガス又は液体を含む流体の挿入によって支援され得る。主カニューレを通した最初の送気及び機器（例えば腹腔鏡など）の挿入後、腹腔鏡観察下で追加のカニューレを手術用腔に入れることができる。手術処置の終了時、全ての機器及びカニューレは手術用腔から取り外され、ガス又は液体は放出され、各切開は閉鎖される。胸腔鏡検査、結腸内視鏡検査、Ｓ状結腸鏡検査、胃鏡検査、気管支鏡検査、及び／又はその他については、手術用腔にガスを導入するために同じ又は実質的に類似の手順に従うことができる。ガス又は液体の量及び流れは、検査を実施する臨床医によって及び／又は手術システムによって自動的に制御され得る。手術システムは、送気システムであってもよい。気腹器は、断続的な又は連続的な流れを送達してもよい。気腹器は、手術用腔内の圧力が所定の範囲に又はおよそ所定の範囲に維持されることを確実にするように流れを制御することができる。圧力は、気腹腔を所定の量まで膨らませることを可能にする。
【００６８】
図１及び図２は、医療処置中における、例示的な手術システム１の使用を概略的に示す。図１の特徴と図２の特徴は、互いに組み込むことができる。図１及び図２において、同じ特徴は同じ参照番号を有する。図１に示すように、患者２は、上述したように、患者２の腔（例えば、腹腔鏡下手術の場合は患者２の腹部）内に挿入されたカニューレ１５を有し得る。
【００６９】
図１及び図２に示すように、カニューレ１５は、（例えば、ルアーロックコネクタ４を介して）ガス送達導管１３に接続され得る。カニューレ１５は、例えば患者２の腔内などの手術部位にガスを送達するために使用され得る。カニューレ１５は、ガス及び／又は１つ以上の手術用機器２０を手術用腔に導入するための１つ以上の通路を含み得る。手術用機器は、スコープ、電気焼灼器具、又は任意の他の機器であり得る。手術用機器２０は、画面を有し得る画像化デバイス３０に結合され得る。画像化デバイス３０は、複数の手術器具及び／又は装置を含み得る手術システムの一部であり得る。手術システムは、手術用スタック（ｓｕｒｇｉｃａｌ  ｓｔａｃｋ）であってもよい。
【００７０】
システムは、排出用カニューレ２２も含むことができていてもよい。排出用カニューレ２２は、カニューレ１５と実質的に同じ特徴を有し得る。排出用カニューレは、排出を可能にする弁を含んでもよい。弁は、ガス供給源（即ち気腹器）と関連付けられたコントローラによって、又は加湿器のコントローラによって自動的に制御され得る。コントローラは、ガス供給源（例えば、気腹器）及び加湿器の両方と関連付けられてもよい。ガス供給源及び／又は加湿器と関連付けられたコントローラは、ガス供給源及び／又は加湿器の外部にあってもよい。コントローラはまた、カニューレ内に、内部配置されてもよい。弁はまた、（例えば、手で又はフットペダル、或いは他の手法で栓を回すことによって）手動で作動させることができる。排出用カニューレ２２は、スモーク等を濾過するための濾過システムに結合され得る。代替的に、排出用カニューレ２２はまた、手術用腔からのガスを、手術用腔に再送達するために、気腹器に再循環させるように構成された再循環システムに結合され得る。ガスは、気腹器に戻される前に濾過及び／又は除湿され得る。
【００７１】
ガス送達導管１３は、可撓性プラスチックで作成することができ、加湿器チャンバ５に接続され得る。任意選択的に又は好ましくは、加湿器チャンバ５は、更なる導管１０を介してガス供給部９に直列接続され得る。ガス供給部又はガス供給源は、気腹器、ボンベ入りガス、又は壁ガス供給源であり得る。ガス供給部９は、加湿及び／又は加熱なしでガスを提供することができる。フィルタ６が、加湿器の出口１１の下流に接続され得る。フィルタ６はまた、更なる導管１０に沿って、又はカニューレ１５の入口に位置し得る。フィルタ６は、加湿器又はガス供給源による手術部位の感染又は汚染を低減するために、病原体及び粒子状物質を濾過して除去するように構成され得る。ガス供給部は、連続的な又は断続的なガスの流れを提供することができる。更なる導管１０もまた、好ましくは、可撓性プラスチックチュービングで作成され得る。
【００７２】
ガス供給部９は、例えば二酸化炭素などの１種以上の送気ガスを加湿器チャンバ５に提供することができる。ガスは、例えば、水などのある量の加湿流体８を収容し得る加湿器チャンバ５を通過する際に加湿され得る。ガスはまた、加熱される又は加熱されない加湿器チャンバ５内で加湿され得る。
【００７３】
加湿器チャンバ５を組み込む加湿器は、任意の種類の加湿器であり得る。加湿器チャンバ５は、プラスチックで形成されたチャンバを含み得る。プラスチックで形成されたチャンバは、それに対して封止された金属又は他の導電性底部１４を有する。使用中、底部はヒータプレート１６と接触し得る。チャンバ５内に収容されたある量の加湿流体８（例えば水）は、ヒータプレート１６によって加熱され得る。ヒータプレート１６は、加湿器のコントローラ又は制御手段２１の制御下にあり得る。チャンバ５内のある量の加湿流体８は、蒸発し、加湿流体蒸気を、チャンバ５内を流れるガスと混合し、ガスを加熱及び加湿するように、加熱され得る。
【００７４】
コントローラ又は制御手段２１は、加湿器ベースユニット３内に収容され得る。加湿器ベースユニット３は、ヒータプレート１６も収容することができる。ヒータプレート１６は、ヒータプレート１６内に電気加熱要素を有し得るか又はヒータプレート１６と熱接触する電気加熱要素を有し得る。１つ以上の絶縁層が、ヒータプレート１６とヒータ要素との間に位置し得る。ヒータ要素は、ベース要素（又は中子）であることができ、このベース要素に線が巻回されている。線は、ニクロム線（又はニッケルクロム線）であり得る。ヒータ要素はまた、加熱トラックが電着された又はエッチングされた多層基板を含み得る。コントローラ又は制御手段２１は、加熱要素へのエネルギーの供給を制御するためのマイクロプロセッサを含み得る電子回路を含み得る。加湿器ベースユニット３及び／又はヒータプレート１６は、加湿器チャンバ５と取り外し可能に係合可能であり得る。また、代替的に又は追加的に、加湿器チャンバ５は、内蔵ヒータを含み得る。
【００７５】
ヒータプレート１６は、コントローラ２１と電気接続することができる温度センサ、例えば温度変換器又は他のものなどを含み得る。ヒータプレート温度センサは、加湿器ベースユニット３内に位置し得る。コントローラ２１は、ヒータプレート１６の温度を監視することができ、これにより、加湿流体８の温度を見積もることができる。加湿流体は水であってもよい。
【００７６】
温度センサはまた、出口１１から加湿器チャンバ５を出る加湿ガスの温度を監視するために、出口１１に又はその近辺に位置し得る。温度センサはまた、（例えば、ケーブルで又は無線で）コントローラ２１に接続され得る。例えば、ガス送達導管１３の患者端部におけるガスの特性（例えば、温度、湿度、流れ、又はその他など）を検出するための追加のセンサも組み込むことができていてもよい。
【００７７】
ガスは、加湿器の出口１１を通って出、ガス送達導管１３に入ることができる。ガスは、ガス送達導管１３を通り、カニューレ１５を介して患者２の手術用腔に入ることができ、それにより腔を拡張させ、腔内の圧力を維持する。好ましくは、加湿器チャンバ５の出口１１を出るガスは、最大１００％の相対湿度を有することができ、例えば、相対湿度は１００％であり得る。ガス送達導管１３に沿ってガスが移動する際に更なる結露及び／又は曇りが発生し得るため、ガス送達導管１３の壁に加湿流体蒸気が凝縮する可能性がある。加湿流体は水であってもよい。更なる結露及び／又は曇りは、例えば、患者に送達されるガスの流体含有量を不利に減少させるなどの望ましくない効果を有する可能性がある。ガス送達導管１３内の結露及び／又は曇りの発生を低減する及び／又は最小限にするために、ガス送達導管１３内に、ガス送達導管１３の全体にわたり、又はガス送達導管１３の周りにヒータ線１４が提供され得る。ヒータ線に給電するために、ヒータ線１４は、例えば電気ケーブル１９によって加湿器ベースユニット３に電子的に接続され得る。幾つかの実施形態では、追加的に又は代替的に、他の加熱要素、例えば、導電性インク又はフレキシブルＰＣＢが含まれ得る。加熱要素は、誘導加熱要素を含むことができていてもよい。加熱要素は、例えば、シリカビーズを含むがこれに限定されない化学的加熱要素を含むことができていてもよい。カニューレは、挿入前に予熱することができていてもよい。
【００７８】
ヒータ線１４は、絶縁銅合金抵抗線、他の種類の抵抗線、若しくは他のヒータ要素を含み得る、及び／又は任意の他の適切な材料で作成され得る。ヒータ線は、真直線又は渦巻状に巻かれた要素であり得る。ヒータ線１４を含む電気回路は、ガス送達チューブ１３の壁内に位置し得る。ガス送達チューブ１３は、螺旋巻きチューブであり得る。或いは、ガス送達チューブ１３は、非ヘリカル又は直線チューブを含み得る。ガス送達チューブ１３は、波形又は非波形であることができていてもよい。ヒータ線１４は、ガス送達導管１３の絶縁コアに螺旋状に巻回され得る。ヒータ線１４の周りの絶縁コーティングは熱可塑性材料を含み得る。熱可塑性材料は、所定の温度まで加熱されると、その形状を変化させることができる状態になることができ、冷却時に、新たな形状が実質的に弾性的に保持され得る。ヒータ線１４は、単一又は二重つる巻線に巻かれ得る。導管１３の患者端部にある温度センサ及び／又は追加のセンサによる測定は、コントローラ２１にフィードバックを提供することができるため、コントローラ２１は、ヒータ線に通電して、ガス送達導管１３内のガスの温度を（例えば、約３５℃〜４５℃に）上昇させる及び／又は維持することができていてもよい。そのため、ガスは、３７℃若しくはその近辺、又は体内温度より上若しくは下（例えば、３７℃より約５、１０、又は１５度上又は下）であり得る所望の温度で患者に送達される。代替的に又は追加的に、システムは、１つ以上のパラメータを測定するように構成されている追加のセンサ、例えば、流量若しくは流れの圧力を決定するように構成されている又は腔内若しくはチューブ内の圧力を決定するように構成されている、周囲温度センサ及び周囲湿度センサ、及び／又はフローセンサ、及び／又は圧力センサを含み得る。追加的に又は代替的に、システムはまた、追加のセンサを含んでもよい。センサは、加湿器の上流、加湿器の下流、及び／又は加湿器内に位置し得る。センサは、送気ガスのパラメータ又は患者／手術用腔の１つ以上のパラメータを決定するように構成されてもよい。各センサは、１つ以上のコントローラにフィードバック情報を提供することができ、１つ以上のコントローラは更に、湿度、温度、流れ、圧力、又は他のパラメータを、所望のパラメータ、例えば、予め設定された範囲内に維持するための閉ループフィードバックを提供することができる。
【００７９】
コントローラ又は制御手段２１は、例えば、ソフトウェアプログラムを保持することができる関連メモリ又は記憶手段を有するマイクロプロセッサ又は論理回路を含み得る。制御手段２１によって実行されると、ソフトウェアは、ソフトウェア内の命令セットに従い、及び／又は外部入力に応じて、手術システム１の動作を制御することができる。手術システムは、送気システムであってもよい。例えば、コントローラ又は制御手段２１に、ヒータプレート１６の温度及び／又は電力使用に関する情報を提供することができるように、コントローラ又は制御手段２１に、ヒータプレート１６から入力を提供することができる。コントローラ又は制御手段２１に、ガス流の温度の入力を提供することができる。例えば、温度センサは、ガスが加湿器チャンバ５の出口１１を出る際の加湿ガス流の温度を示す入力を提供することができる。温度センサと同じ位置に又はその近辺に、又は手術システム１内の他の適切な位置にフローセンサも提供され得る。コントローラ２１は、システム１内のガスの流量を調整するフローコントローラを制御することができる。コントローラは流量調節器であってもよい。コントローラは、例えば電動式ファンなどの、フローインデューサ及び／又は抑制部（ｉｎｈｉｂｉｔｅｒ）を含み得る。追加的に又は代替的に、弁及び／又はベントを使用して、ガスの流量を制御することができる。
【００８０】
加湿器ベースユニット３に位置する患者入力１８は、送達されるべき所望のガス温度及び／又はガス湿度レベルを使用者（例えば外科医又は看護師）が設定することを可能にできる。例えばヒータ線１４によって送達される加熱の制御などの他の機能もまた、使用者入力１８によって制御することができていてもよい。コントローラ２１は、システム１を制御することができ、具体的には、患者に送達されるガスの流量、温度、及び／又は湿度を、システム１が使用される医療処置の種類に適切となるように制御することができる。
【００８１】
加湿器ベースユニット３はまた、患者２に送達されているガス流の特性を使用者に対して表示するためのディスプレイを含み得る。
【００８２】
図示しないが、加湿器はまた、ある量の水又は任意の他の種類の加湿流体を有するチャンバを含み得るが加湿流体を加熱するためのヒータプレートは含まなくてもよいパスオーバー式又はバイパス式加湿器であることができていてもよい。チャンバは、ある量の加湿流体上を送気ガスが通過する際に、ある量の加湿流体から吸い上げられた加湿流体蒸気によって送気ガスが加湿されるように、ガス供給部と流体連通することができる。
【００８３】
使用時、上述の加湿器は、「手術無菌ゾーン（ｏｐｅｒａｔｉｎｇ  ｓｔｅｒｉｌｅ  ｚｏｎｅ）」の外に、及び／又は気腹器に隣接して位置し得る。その結果、医療関係者は、手術中に手術用腔内で医療機器を操作するためにカニューレを移動させる際に加湿器に触れる必要はない。加湿器は、医療機器と同程度滅菌する必要がない場合がある。更に、「手術無菌ゾーン」の外に位置する加湿器により、手術処置中に、既に混雑した空間内で医療関係者及び／又は医療機器の移動を制限し得る医療関係者に対する障害物を減らすことができる。
【００８４】
排出用カニューレの例
腹腔鏡下手術中には、一般に、送気される腔内での切除又は凝固を生じさせるために、何らかの形態の電気外科手術、電気焼灼術、レーザー切除若しくは焼灼、又は他の種類のエネルギーが存在する。これにより、特に、顕著なガス漏れ又は吸引／灌流がない場合には、密閉及び加圧された腹膜又は他の腔内で時間の経過とともに濃度が上昇するおそれがあるサージカルスモークが発生する。これらの手術／処置中には、スモークプルームも発生することが多い。スモークプルームは、スコープを包み込む場合がある、又はスコープを横断し、外科医の視界を制限する場合がある。スモークの除去及びスモークプルームの除去は、手術中の光学的透明度の向上に役立つ。これにより、手術をより安全に、より早く、且つより効率的にする。送気される腔内及び視野内の高濃度のスモークは、トロカールを介して挿入されたレンズを通して腹膜内の空間を観察する際に光学的透明度を著しく妨げるおそれがある。レンズは、例えば、手術用腔の外側に配置されたカメラに接続され得る。排出又は吸引を使用しなければ、外科医は、一般に、ガスの全部を気腹内から脱気によって放出し、その後、再送気する以外の選択肢はない。
【００８５】
本開示は、本明細書に開示されるカニューレ１５として使用することができ、且つ追加の構成要素若しくは器具又は上述のような時間集約的な脱気及び再送気処置を必要とすることなく、手術用腔の光学的透明度を増加させるための排出及び濾過特徴を含む、カニューレの例を提供する。本明細書に開示される例示的な排出用カニューレは、特注の及び／又はより高価な手術システムを必要とすることなく、既存の手術システムに実装され得る。手術システムは送気システムであってもよい。したがって、本明細書に開示される例示的な排出用カニューレは、レンズの光学的透明度を向上させること及び／又は明瞭な視界を維持することができ、手術時間及び疼痛を含むがこれに限定されない術後合併症を最小限にするのに役立つことができる、及び／又は例えば外科医などの医療関係者が医療処置中にスコープを操作するのをより容易にすることができる。上述したようなカニューレ２２は、排出用カニューレとして利用することができる、又は排出用カニューレとして使用するために修正することができる。幾つかの実施形態では、排出用通路とガス送達通路とを有するカニューレが有利な場合がある。なぜなら、排出用通路とガス送達通路とを有するカニューレは、ガスを送達するために、及び気腹からスモーク及び他のガスを排出し、それにより明瞭な視界を維持するのに役立つように使用することができる単一デバイスを提供するからである。
【００８６】
幾つかの実施形態では、手術用カニューレは、筐体と、筐体から延びる長尺状シャフトと、長尺状シャフト内の少なくとも１つの内腔と、を含む。カニューレは、手術用腔を把持するための把持特徴を含み得る。筐体は、機器用開口部に隣接して配置された１つ以上のシール／弁を含み得る。シール／弁は、機器用開口部を通して挿入された機器に対して封止するように構成されている。筐体又はシャフトにガス入口が配置されている。ガス入口は、内腔と流体連通することができ、加湿器又は気腹器のいずれかからガスを受け取る。手術用カニューレは、例えば外部シールなどの他の特徴を含んでもよく、平らな（例えば、直角の）先端部又は角度を成した（例えば、傾斜の付いた）先端部のいずれかを含んでもよい。記載されるように、本明細書の別の場所で開示される任意の数の排出特徴をカニューレに組み込むことができる。
【００８７】
幾つかの実施形態では、例示的な排出用カニューレは、カニューレ１５の特徴のいずれかを有し得る。例えば、排出用カニューレは、長尺状シャフト１０４に接続されたカニューレ上部筐体１０２を有し得る。長尺状シャフト１０４は、手術用腔にカニューレ１００をより容易に挿入するためのトロカールとしてカニューレが機能することができるように、先細の端部を有することができていてもよい。医療機器をより容易に挿入するために、カニューレ上部筐体１０２は長尺状シャフト１０４よりも大きい断面寸法を有し得る。図２に示すように、カニューレ上部筐体１０２は、長尺状シャフト１０４から遠い方の位置から長尺状シャフト１０４に近い方の位置まで断面寸法（例えば直径）が減少する略漏斗形を有し得る。ガス入口１０６は、カニューレ上部筐体１０２に位置し得る。カニューレ上部筐体１０２は空洞を含み得る。長尺状シャフト１０４は、中空通路を含み得る。空洞と中空通路は、流体連通することができる。排出用カニューレは、（例えば、スリーブを介して）排出用カニューレに（例えば、カニューレ上部筐体１０２の少なくとも一部分及び／又は長尺状シャフト１０４の一部分に）着脱可能に結合された又は内蔵された加熱要素を含み得る。排出用カニューレは、カニューレに取り外し可能に結合された又は内蔵されたフィルタを含む排出用要素を含み得る。加熱要素は、フィルタと接触するように又はフィルタ内に延びるように配置され得る。
【００８８】
上で開示した任意の手術システム（例えば送気システム）などの、手術用腔に送気ガスを供給するための手術システムは、本明細書に開示される例示的な排出用カニューレのいずれかを組み込むことができる。上述のように、システムは、送気ガスを提供するように構成されたガス供給部と、ガス供給部と流体連通し、ガス供給部から受け取った送気ガスを加湿するように構成された加湿器と、加湿器とカニューレとの間に延び、それぞれ、加湿器とカニューレと流体連通するガス送達チューブと、を含み得る。ガス送達チューブはまた、それぞれ、加湿器及びカニューレと電気連通することができる。システムが使用されている時、ガス送達チューブは、送気ガスを手術用カニューレに誘導することができ、また、電流を加湿器からカニューレ内の加熱要素に誘導することができる。加熱要素は、カニューレ及び／又はカニューレに挿入される及び／若しくはカニューレから取り出される医療機器の一部分を通過する送気ガスに熱を伝達し、ガス及び／又は機器の温度を上昇させ、結露及び／又は曇りを低減するように構成され得る。送気ガス及び／又は機器の温度を、露点を超えて上昇させ、医療機器上のガスの結露を防止する及び／又は結露を低減する（及び／又は既に形成されている結露を蒸発によって除去する）ことができる。結露はまた、外部からの加熱又は加湿がなければ発生し得る。例えば、結露は、手術用腔の固有の温度（体熱）及び湿度（体水分）から、並びに／又は送気流体の温度及び湿度から生じ得る。送気ガス及び／又は機器の温度を、露点を超えて上昇させ、送気ガス及び／又は手術用腔に起因する医療機器上の結露を防止することができる。
【００８９】
本明細書に記載されるように、カニューレに対する近位方向は、全般的に、カニューレ上部筐体の上端部を意味し得る一方、カニューレに対する遠位方向は、全般的に、手術用腔に挿入されるカニューレの最初のセクションであるように構成されるカニューレシャフトの下端部を意味し得る。
【００９０】
排出用カニューレのより詳細な例を以下に記載する。本明細書に記載されるように、医療機器に対する近位方向は、全般的に、医療機器本体の上端部を意味し得る一方、医療機器に対する遠位方向は、全般的に、カニューレ及び／又は手術用腔に挿入される医療機器の最初のセクションであるように構成される医療機器本体の下端部を意味し得る。同じ又は実質的に同じ特徴の参照番号は、同じ下二桁を共有し得る。
【００９１】
排出用カニューレの例
図３Ａは、幾つかの実施形態による、取り出し可能な又は内蔵されたフィルタ及びシールを含むカニューレの分解斜視図である。カニューレ３００は、カニューレ上部筐体３０２と、例えば、カニューレ上部筐体３０２から遠位に延びる長尺状シャフト３０４と、を含み得る。カニューレ上部筐体３０２及び長尺状シャフト３０４の両方は、入口３０８と出口３１０とを含む第１の内腔３０６（例えば、カニューレ上部筐体３０２と長尺状シャフト３０４との間で連続する）を含み得る。第１の内腔３０６は、カニューレ上部筐体３０２のガス進入ポート３５２から送達される送気ガスを受け取り、長尺状シャフト３０２の遠位端３１４に近接する出口３１０を通して手術用腔に送気ガスを送達するように構成され得る。第１の内腔入口３０６は、ガス進入ポート３５２を介して送気ガスの供給源と流体連通することができる。カニューレ上部筐体３０２及び長尺状シャフト３０４はまた、入口３２０と出口３２２とを含む第２の内腔３１６を含むことができ、第２の内腔３１６は、手術用腔から第２の内腔入口３２０を通してガスを受け取り、第２の内腔出口３２２を通して手術用腔の外にガスを排出し、濾過するように構成されていてもよい。換言すると、例えば、１つの内腔（例えば、第１の内腔３０６）は手術用腔内などの第１の方向に新鮮な送気ガスを送達することができる一方で、別の内腔（例えば、第２の内腔３１６）は、ガス、スモーク及び他の「廃」ガスを、例えば手術用腔の外などの第２の、反対方向に送達することができる。
【００９２】
引き続き図３Ａを参照すると、示されるような幾つかの実施形態では、カニューレ３００は、内腔の１つが別の内腔内に入れ子になる二重同心内腔幾何学的形状を含み得る。幾つかの実施形態では、第１の内腔３０６は、図示されるように第２の内腔３１６内に部分的に又は完全に入れ子になることができる。幾つかの実施形態では、第２の内腔３１６は、示されるように、第１の内腔３０６の直径よりも大きい直径及び／若しくは断面積を有し得る、又は他の実施形態では、より小さい若しくは同じ直径及び／若しくは断面積を有し得る。幾つかの実施形態では、第２の内腔の直径は、第１の内腔の直径の約５％〜約９０％であり得る。幾つかの実施形態では、第１の内腔及び第２の内腔は、示されるように、カニューレ上部筐体３０２の近位に大きい直径のゾーン及び長尺状シャフト３０４の遠位に小さい直径のゾーンを有し得る、又は他の実施形態では、全体にわたり実質的に一定の直径を有し得る。
【００９３】
第２の内腔３１６は、機器用開口部３３３と、例えばカニューレ上部筐体３０２の近位端に一体形成された又は（例えば、クリップ又は他の機構によって）取り外し可能に取り付け可能な、カニューレ３００に動作的に接続されたフィルタとを含み得るシール筐体３３０と流体連通することができる。幾つかの実施形態では、シール筐体３３０は、カニューレ３００の最近位部分を形成する、又はカニューレ３００の最近位部分に動作的に取り付けられている。第１のシール３３１も存在することができ、シール筐体３３０に一体形成され得る又は取り外し可能に取り付け可能であり得る。第１のシール３３１は、シリコーン若しくは他の適切な材料で作成されたダックビル型シールフラップ、又は他のタイプのシールであり得る。フィルタは、蒸気含有量を低減し、フィルタの寿命及び有効性を増加させるように機能し得る、例えば乾燥剤材料（例えばシリカ）などの追加的な材料に結合されてもよい。保持リング３３４もまた、例えば、カニューレ上部筐体３０２とシール筐体３３０との間などに存在することができていてもよい。
【００９４】
図３Ｂは、図３Ａのカニューレ３００の分解図実施形態の断面図を示す。図３Ｃは、以下で記載するような追加的な材料を有するシール筐体３３０の断面図を示す。上述した第１の内腔３０６及び第２の内腔３１６が示される。外側内腔（例えば、第２の内腔３１６）は、位置決め又はガイドリブ３５８を含み得る。位置決め又はガイドリブ３５８は、第１の内腔３０６の周りに配置され、第１の内腔３０６の位置を固定するために第１の内腔３０６の周りに配置されるように構成されている。幾つかの実施形態では、約又は少なくとも約１、２、３、４、５、６、７、８、又はこれより多いガイドリブ３５８が存在し得る。複数のガイドリブ３５８が存在する場合、これらは離隔することができ、且つガス排出流が乱されないようにするために十分に薄くされ得る。幾つかの実施形態では、リブ３５８は、リブ３５８を収容する各内腔の内径の約２５％、２０％、１５％、１０％、５％、若しくは５％未満よりも小さい、又は前述の値の任意の２つを含む範囲よりも小さい厚さを有し得る。幾つかの実施形態では、ガイドリブ３５８は、第２の内腔３１６の内壁と一体形成されている、又はそうでなければ取り付けられている。
【００９５】
カニューレ上部筐体３０２は、ガス進入チャネル３５４を介して第１の内腔３０６に流体接続されたガス進入ポート３５２を含むことができ、第２の内腔３１６を第１の内腔３０６から隔離し、新鮮な送気ガスと手術用腔から回収された廃ガスとの間で漏れ若しくは混合が発生しないようにするための又は実質的に発生しないようにするための堅固な壁が存在し得る。
【００９６】
ガス進入ポート３５２は、ガスの取り入れを制御するための弁又は他の機構を含み得る。ガス進入チャネル３５４は、カニューレ上部筐体３０２に超音波溶接、接合、又は他の手法で取り付けられ得るセクション３５０によって近位に封止され得る。第２の内腔３１６は、１つ以上のフィルタを含み得るシール筐体３３０に通じている１つ、２つ、又は２つより多いシールを含み得る。手術用腔からのガスは、第２の内腔３１６の近位部分にあり得るチャネル３５６を通過することができる。幾つかの実施形態では、シール筐体３３０は、カニューレ３００の最近位端部を形成し得る。シール筐体３３０は、示されるような弓形、例えば、リングのような形状又は他の幾何学的形状を有することができ、手術用腔からのガスがフィルタに到達し、排出されることを可能にするように構成された排出用スロット３４０を含み得る。１つ、２つ、又は２つより多いガスフィルタを収容するように構成されたポケット３６２も示される。フィルタは、例えば、カーボンフィルタ、高性能微粒子（ＨＥＰＡ：ｈｉｇｈ−ｅｆｆｉｃｉｅｎｃｙ  ｐａｒｔｉｃｕｌａｔｅ  ａｉｒ）フィルタ、及び／又は超高性能（ＵＬＰＡ：ｕｌｔｒａ−ｌｏｗ  ｐａｒｔｉｃｕｌａｔｅ  ａｉｒ）フィルタであることができ、排出用スロット３４０と、濾過された手術用腔からのガスを外部環境に逃がすことを可能にするように構成された排出用アパーチャ３３９との間にあり得る。フィルタは、連続で配置され得る複数のフィルタ要素を含み得る。例えば、ＵＬＰＡフィルタとカーボンフィルタは、例えば連続で配置され得る。図３Ｃは、例えば乾燥剤材料（例えばシリカ）などの追加的な材料３６４を１つ以上のガスフィルタ３６６とともに収容するように構成されたポケット３６２を示す。医療機器（例えば、内視鏡及び他の器具）をその中に配置するための第１のシール３３２も示され、幾つかの実施形態では、第１のシール３３２は、中心に位置し、例えば、第１の内腔３０６などの内腔の近位セクション内に配置され得る。シール３３１は、硬質プラスチック、シリコーン、ゴム、若しくは別の所望の材料で作成された構成要素３３３にオーバーモールドされ得る、又はそうでなければシール筐体３３０の周辺部分に取り付けられ得る。ロック機構３３６は、フィルタを含むシール筐体３３０を、保持リング３３４上の相補的なロック機構３４６に接続することができる。保持リング３３４は第２のシール３４４を含み、第２のシール３４４は、その中に医療機器を嵌合するように構成されている。ロック機構３３６、３４６は、相補的なフランジ、クリップ、リテーナ、圧入面、ねじ山等を含み得る。保持リング３３４はまた、手術用腔からのガスがフィルタに到達し、その後、環境に排出されることを可能にするように構成された排出用スロット３４２を含み得る。幾つかの実施形態では、シール筐体３３０と保持リング３３４は、取り外し可能ではなく恒久的に互いに結合され得る又は幾つかの場合では一体形成され得る。
【００９７】
図４は、図３Ａ及び図３Ｂに示されるような二重同心内腔を含む排出用カニューレ実施形態３００の非分解断面図を示す。示されるように、送気ガスは、ガス進入ポート３５２を通ってカニューレ３００に入り、第１の（例えば中心）内腔３０６に矢印の方向に入り、カニューレ３００の長尺状シャフトの遠位端３１４にある出口３１０を通って手術用腔に入ることができる。手術用腔からのガスは反対方向に流れ、カニューレ３００の第２の（例えば外側）内腔３１６に入り、カニューレ３００内を近位に流れ、シール筐体３３０内のフィルタを通り、排出用アパーチャ３３９から環境に出ることができる。
【００９８】
図５Ａは、取り出し可能な又は内蔵されたフィルタ及びシール４３１を含むシール筐体４３０を含むカニューレ４００の別の実施形態の分解図である。例えばマルチステージフィルタなどの複数のフィルタが、例えば、シール筐体４３０内に連続で配置され得る。図５Ｂは、図５Ａのカニューレ４００の分解図実施形態の断面図を示す。カニューレ４００は、幾つかの実施形態で第１の内腔と第２の内腔の機能が反対にされ得ること以外は、カニューレ３００の特徴のいずれかを組み込むことができる。示されるような幾つかの実施形態では、第１の（例えば中心）内腔４０６は、手術用腔から第１の内腔入口４２０を通してガスを受け取り（図３Ａ〜図４のように手術用腔にガスを送るのとは対照的に）、シール筐体４３０の排出用アパーチャ４３９を通して手術用腔の外にガスを排出するように構成されており、第２の内腔４１６は、カニューレ上部筐体４０２のガス進入ポート４５２から送達される送気ガスを受け取り、長尺状シャフト４０４の遠位端４１４に近接する出口４１０から手術用腔に送気ガスを送達するように構成され得る。第２の内腔４１６は、例えば、上述したような弁を含み得るガス進入ポート４５２などの送気ガスの供給源と流体連通することができる。第１の内腔４０６は、保持リング４３４に例えば参照番号４８３で超音波溶接されるなど、取り外し可能に又は恒久的に取り付けられ得る。排出用スロット４４０、ガスフィルタを収容するように構成されたポケット４６２、医療機器用のシール４３８、シールにオーバーモールドされた構成要素４３３、排出用スロット４４２を有する二次シール４４４上の相補的なロック機構４４６にシール筐体４３０を接続するためのロック機構４３６も示されており、これらは全て上述したようなものであり得る。
【００９９】
図６は、図５Ａ及び図５Ｂに示される、二重同心内腔を含む排出用カニューレ実施形態の非分解断面図を示す。示されるように、送気ガスは、ガス進入ポート４５２を通ってカニューレ４００に入り、第２の（例えば、外側）内腔４１６に矢印の方向に入り、カニューレ４００の長尺状シャフトの遠位端４１４にある出口４１０を通って手術用腔に入ることができる。手術用腔からのガスは、カニューレ４００の第１の（例えば中心）内腔４０６に入り、カニューレ４００内を近位に流れ、シール筐体４３０内のフィルタを通り、排出用アパーチャ４３９から環境に出ることができる。上述したように、第１の内腔４０６は、保持リング４３４に例えば参照番号４８３で超音波溶接されるなど、取り外し可能に又は恒久的に取り付けられ得る。シール筐体４３０は、（例えば、共に留められることにより）保持リング４３４に恒久的に又は取り外し可能に接続され得る。シール筐体４３０はまた、カニューレ４００の別の部分に恒久的に又は取り外し可能に接続され得る。
【０１００】
図６Ａは、カニューレ５００が複数の離隔されたフィルタ要素を含むこと以外は、上記の図５Ａ〜図６のものに類似し、上記の図５Ａ〜図６に示されるような任意の数の特徴を含み得るカニューレ５００の別の実施形態の等角図である。上述したように、第１のフィルタはシール筐体５３０内に配置することができ、ガスは、第１のフィルタを過ぎ、シール筐体５３０内の排出用アパーチャ５３９の第１のセットを通り、手術用腔の外に排出され得る。第２のフィルタは、例えば、上部カニューレ筐体５０２内などより近位に配置することができ、また、より近位位置での排出を可能にするための排出用アパーチャ５６９の第２のセットを含む。第１のフィルタは、第２のフィルタと異なるタイプのフィルタであり得る。例えば、１つのフィルタはカーボンフィルタであることができ、もう一方のフィルタはＵＬＰＡフィルタであることができる。上述したような、ガス進入ポート５５２、機器用開口部５３３、カニューレ長尺状シャフト５０４、カニューレ５００の長尺状シャフト５０４の遠位端５１４に近接する出口５１０、及び第１の内腔入口５２０も示される。図６Ｂは、図６Ａの実施形態の長手方向断面図であり、また、第１のフィルタ５７９及び離隔された第２のフィルタ５８９、並びに上述され得るような外側内腔５１６及び内側内腔５０６を示す。
【０１０１】
幾つかの実施形態では、排出用カニューレは、環境（例えば、手術室スイート）への排出を制御するために１つ、２つ、又はこれより多くの弁を含み得る。図７Ａは、上述したように、排出用アパーチャ７３９を有するシール筐体７３０を含み、保持リング７３４に動作的に接続されたカニューレの近位端を示す。弁７７０は、排出用アパーチャ７３９を有するシール筐体７３０に到達する前の、第２の又は外側内腔７１６などの内腔の流路内に存在することができ、手術用腔からガスを排出するように構成されている。図７Ｂは、複数の離隔された弁７７０を示す、図７Ａの線７Ｂ−７Ｂで取った断面図である。弁は、排出速度、例えば、カニューレから排出されるガスの速度を制御するように構成され得る。排出速度は、手術用腔からスモークが取り払われ、スモークプルームが取り払われるように、所定の速度に制御され得る。電磁弁は、コントローラ、例えば、加湿器内のコントローラ又は気腹器内のコントローラによって制御されてもよい。弁７７０は、例えば、電磁弁、又は他の種類の弁であることができ、そのいくつかについては、本明細書の別の場所で記載されている。各弁７７０は、第２の、例えば外側内腔７１６などの、ガスを排出するように構成された内腔の流路内に配置することができ、そのそれぞれは、ガスが後にフィルタを通過することを可能にするように弁７７０により制御される小さな排出用アパーチャ７７１を含む。堅固なプレート７７２は、各弁７７０をそれ自身の筐体７７４内に内包することにより、弁７７０を所定の位置に保持することができる。プレート７７２は、ガス不透過性であることができ、また、ガスが排出のために弁７７０のみを通過することができるように、シールとして機能するように構成され得る。
【０１０２】
図７Ｃは、内腔の流路７９４を横切って配置されたダイヤフラム圧力リリーフ弁７９２であり得る弁の別の実施形態を示す。弁７９２は、図７Ｃの左側に示すようにばね７９３の圧力付勢により維持される最初の閉鎖状態を有し得る。プラスチック又は類似の成分で作成され得る可撓性シール７９０は、流路７９４内を流れるガスによってばねの付勢圧力よりも大きい圧力が印加されると開くことができ（例えば、示されるように弁７９２に向かって戻り）、これにより、図７Ｃの右側に示すように、弁７９２を開放構成に移動させる。
【０１０３】
図７Ｄは、電磁弁７４０を示す別の実施形態を示す。図７Ｃと同様に、ばね７９３の付勢力により、図７Ｄの左側に示すように、弁７４０を閉鎖状態に維持することができる。回路がオフになるとスイッチ７４２が開き、弁は閉じられる。スイッチ７４２を（例えば、電気的に）作動させて、弁７４０を開き、図７Ｄの右側に示すように、弁４１０及び流路７９４を横切ってガスが流れることを可能にすることができる。
【０１０４】
幾つかの実施形態では、弁は、受動的であっても能動的であってもよい。受動弁、例えば、ばね弁又はアンブレラ弁は、所定の圧力で排出するように構成されている。排出圧力は、手術用腔内で定圧を維持するために用いられ、所望の排出速度を提供することができる圧力に相当する。能動弁は、手術用腔内で定圧を得るように、且つ光学的透明度を達成するためにスモーク及びスモークプルーム及びガスを所定の速度で排出するように能動的に制御されることが好ましい。受動開口部、例えば、複数の開口部又は流量制限開口部は、所望の排出速度を提供するように構成され得る、例えば、形成及び構築され得る。
【０１０５】
図７Ｅは、圧力リリーフ弁７３０を示す別の実施形態を示す。図７Ｅの左手側に示すように、ばね７９３の付勢力は、弁７３０を閉鎖位置に維持するために十分な力を作用させることができる。図７Ｅの右手側に示すように、ばねの圧力よりも大きい圧力が流路７９４内を流れるガスによって印加されると、弁７３０は、開放構成に移動することができる。
【０１０６】
図８Ａ〜図８Ｄは、弁を含んでも含まなくてもよい、排出用カニューレ内に含まれ得る追加的な機械的／受動排出実施形態を示す。図８Ａに示すように、排出用要素８１０は、カニューレ８００の近位端８０２に又はこれに近接して配置され得る。図８Ｂは、単一の制限オリフィス８１０のみを含む排出用要素を示す。図８Ｃは、２、３、４、５、６、７、８、９、１０、又はこれより多いオリフィス８２０などの複数の小さな離隔されたオリフィス８２０を含む排出用要素を示す。図８Ｄは、アンブレラ圧力リリーフ弁８３０を含む排出用要素を示す。図８Ｄの左手側に示されるように、圧力が印加されていない場合、弁８３０は、「パチンと閉まり」、閉鎖状態に戻ることができる。図８Ｄの右手側に示すように、ゴム又は別の材料で作成された可撓性シール８３２は、所定値よりも大きい圧力が流路内のガス流によって印加されると、開くことができる。
【０１０７】
図９Ａ〜図９Ｂは、電気的排出特徴を含み得る排出用カニューレ９００の一実施形態を示す。図９Ａの長手方向断面図に示すように、１つ以上のセンサ９９０が、手術用腔からのガスを濾過及び排出のために運ぶように構成された内腔（例えば、外側内腔９１６）内に存在し得る。センサ９９０は、例えば、スモーク及び他の有害物質、微粒子、一酸化炭素等、並びに／又は例えば、圧力、温度、湿度、及び／若しくは流れなどの他のガスパラメータを検知するように構成され得る。センサ９９０は、ガスが排出されている際、連続的な又は断続的なサンプリング測定を行うことができる。センサ９９０は、カニューレ９００内の所定の位置にモールドされ得る又はそうでなければ取り付けることができ、コントローラと有線又は無線通信することができる。図９Ｂは、図９Ａの線９Ｂ−９Ｂで取った断面図である。弁９７０が示される。弁９７０は、カニューレ内に内蔵された又は手術用送気及び／若しくは加湿システム内の別の場所に位置するコントローラを介して作動可能な電磁ゲート弁であり得る。線９７２は、排出ガス流を制御するための、センサ９９０及び電磁弁９７０のコントローラから延び得る。幾つかの場合では、線９７２は、ガス出口経路を封止するために、参照番号９７６のカニューレ側壁内にオーバーモールドされ得る。ガスパラメータが所定の若しくは計算された閾値を満たす又は超えることをセンサ９９０が検知すると、センサ９９０からデータを受け取るコントローラは、電磁ゲート弁９７０に（例えば線９７２などを介して）、開閉してガスの排出を制御するように信号送信することができる。
【０１０８】
本明細書に開示される例示的なカニューレはまた、１つ以上の電線を介して加熱要素に電力を供給するためのソケット接続を含み得る（例えば、チューブセットにより提供される）。図１０Ａ〜図１０Ｂに示すように、カニューレのガス入口１００６は、電気コネクタ１０３６を含み得る。電気コネクタ１０３６は、１つ以上の電線１０１６と電気連通することができる。１つ以上の電線１０１６は、カニューレ上部筐体１００２の長さの一部の壁内に埋め込む（例えば、オーバーモールドされる）ことができ、また、カニューレ内の加熱要素と電気コネクタ１０３６との間に延びる長尺状シャフトの長さの一部の壁内に埋め込む（例えば、オーバーモールドされる）ことができていてもよい。
【０１０９】
電気コネクタ１０３６は、加熱要素に電力を供給するために、手術システム（例えば、送気システム又は本明細書に開示される手術システムのいずれかなど）のガス送達チューブ１３上の対応するコネクタ１０３８（例えば、ソケットコネクタ）に結合するように構成され得る。ガス送達チューブ１３は、硬質プラスチック材料を含み得る対応するコネクタ１０３８にモールドされた渦巻状に巻かれたチューブを含み得る。ソケット接続は、ガス送達チューブ１３をカニューレに固定することができる。図１０Ａ及び図１０Ｂに示すように、電気コネクタ１０３６は、ピン１０４０を含み得る。ピン１０４０は、対応するコネクタ１０３８のＰＣＢエッジコネクタ１０４２に結合され、加熱要素とガス送達チューブ１３のヒータ線回路１４との間に電気連通を確立するように構成されている。
【０１１０】
図１１Ａ〜図１１Ｂは、カニューレ上部筐体１１０２と、第１の内腔１１０６と第２の内腔１１１６とをその中に収容するように構成されたカニューレ長尺状シャフト１１０４と、カニューレ１１００の長尺状シャフト１１０４の遠位端１１０８と、を含む、上述したような特徴を含み得るデュアル内腔排出用カニューレ１１００の一実施形態の断面図を示す。シール筐体１１３０のガス流路内の、排出用アパーチャ１１３９の遠位に加熱要素１１４５を含み得るシール筐体１１３０も示される。加熱要素１１４５は、プリント回路基板（ＰＣＢ）ヒータ、絶縁銅合金抵抗線、他の種類の抵抗線、若しくは他のヒータ要素を含み得る、及び／又は任意の他の適切な材料で作成され得るヒータ線を含み得る。幾つかの場合では、ＰＣＢは、フレキシブル又はリジッドであることができ、例えば、弓形に予め形成され得る。ヒータ線は、真直線又は渦巻状に巻かれた要素であり得る。加熱要素１１４５は、ガスが凝縮することでフィルタを詰まらせることを防止するために、排出されるガスを、有利には、十分に加熱することができる。幾つかの実施形態では、加熱要素１１４５は、排出されるガスを、幾つかの実施形態では、少なくとも摂氏約７０、８０、９０、１００、１１０、若しくはこれより高い温度に、又は前述の値のいずれか２つを含む範囲に、及び／又はガスの露点を超えて加熱するように構成されている。ＰＣＢヒータへの電気接続は、シール筐体１１３０のフィルタ隔室内で、カニューレの異なる層の間に配置された電気ピンを介して行うことができる。図１１Ｂは、図１１Ａの線１１Ｂ−１１Ｂで取った断面図である。示されるように、ＰＣＢヒータへの電力は、例えば、接続された手術用加湿システム内の電源に対する線接続１１７２によって提供される。他の実施形態では、電源は、カニューレに直接接続され得る又は無線であり得る。ＰＣＢヒータ１１４５は、カニューレ内に配置することができ、ＰＣＢ自体のあらゆる汚染を回避するために、ＰＣＢ  １１４９がガス流路と直接接触しないように構成され得る。
【０１１１】
幾つかの場合では、加熱要素は、カニューレ上部筐体の壁に埋め込まれ得る。本開示の加熱要素及び／又は他の加熱要素は、カニューレの内壁（例えば、上部筐体の内壁及び／又はシャフトの内壁）上に取り付けられ得る及び／又は配置され得る。代替的に、加熱要素例は、カニューレシャフトの外側表面に巻き付けられてもよい。加熱要素は、カニューレ上部筐体の壁にモールドされ得る。
【０１１２】
図１２Ａ〜図１２Ｂは、取り出し可能な又は内蔵されたフィルタ及びシール１２３１を含むシール筐体１２３０を含むカニューレ１２００の別の実施形態の分解図を示す。本明細書の別の場所に記載されるように、フィルタは、連続で配置され得る複数のフィルタ要素を含み得る。図１２Ｂは、図１２Ａのカニューレ１２００の分解図実施形態の断面図を示す。カニューレ１２００は、カニューレ１２００が複数のオフセット内腔（例えば、互いに隣接する、互いに入れ子になっていない又は同心でない２つ以上の内腔）を含むこと以外は、本明細書の別の場所に記載されるようなカニューレの特徴のいずれかを組み込むことができる。示されるような幾つかの実施形態では、第１の内腔１２０６は、カニューレ上部筐体１２０２のガス進入ポート１２５２を通してガスを受け取り、長尺状シャフト１２０４の遠位端１２１４に近接する出口１２１０から手術用腔に送気ガスを送達するように構成されている。第２の内腔１２１６は、入口１２２０を通った手術用腔からのガスを輸送することができ、シール筐体１２３０の排出用アパーチャ１２３９を通して手術用腔の外にガスを排出することができる。幾つかの実施形態では、第１の内腔１２０６は、第２の内腔１２１６の直径よりも大きい、例えば、第２の内腔１２１６の直径よりも少なくとも約、約、又はわずか約１０％、２５％、５０％、７５％、１００％、又は１００％超大きい直径を有し得る。幾つかの実施形態では、第１の内腔１２０６は、第２の内腔１２１６の直径と同じ又はこれよりも小さい直径を有し得る。上述したように、シール筐体１２３０のシール１２３１は、硬質プラスチック１２３３又は他の材料にオーバーモールドされ得る。また、シール筐体１２３０の遠位に示されるのは、取り外し可能に又は恒久的に取り付け可能な保持リング１２３４であり得る。保持リング１２３４は、ガスがフィルタに到達し、排出されることを可能にするための排出用スロット１２４２と、医療機器用のダックビルシール１２４５とを含み得る。排出用スロット１２４０、前述のようにガスフィルタを収容するように構成されたポケット１２６２、医療機器用のシール１２３１、シールにオーバーモールドされた構成要素１２３３、排出用スロット１２４２を有する保持リング１２３４上の相補的なロック機構１２４６にシール筐体１２３０を接続するためのロック機構１２３６（可逆的に取り付け可能な実施形態のためのもの）、第１のシール１２３１、及び第２のシール１２４４も示されており、これらは全て上述したようなものであり得る。
【０１１３】
図１３は、図１２Ａ及び図１２Ｂに示されるような二重オフセット非同心内腔を含む排出用カニューレ１２００実施形態の非分解長手方向断面図を示す。示されるように、送気ガスは、ガス進入ポート１２５２を通ってカニューレ１２００に入り、第１の内腔（例えば、内腔１２０６）に矢印の方向に入り、カニューレ１２００の長尺状シャフトの遠位端１２１４にある出口１２１０を通って手術用腔に入ることができる。手術用腔からのガスは、カニューレ１２００の第２の内腔１２１６に入り、カニューレ１２００内を近位に流れ、シール１２３１を有するシール筐体１２３０内のフィルタを通り、排出用アパーチャ１２３９から環境に出ることができる。上述され得るようなシール１２３１、１２４も示される。
【０１１４】
図１４は、取り出し可能な又は内蔵されたフィルタ及びシール１４３１を含むシール筐体１４３０を含む、二重オフセット非同心内腔カニューレ１４００の別の実施形態の非分解長手方向断面図を示す。カニューレ１４００は、第１の内腔と第２の内腔の機能が反対にされ得ること以外は、カニューレ１３００（又は他のカニューレ実施形態）の特徴のいずれかを組み込むことができる。示されるような幾つかの実施形態では、第１の（例えば、大径の）内腔１４０６は、手術用腔から第１の内腔入口１４１０を通してガスを受け取り（図１２Ａ〜図１３のように手術用腔にガスを送るのとは対照的に）、排出用要素１４３０の排出用アパーチャ１４３９を通して手術用腔の外にガスを排出するように構成されており、第２の（例えば、小径の）内腔１４１６は、カニューレ上部筐体１４０２のガス進入ポート１４５２から送達される送気ガスを受け取り、長尺状シャフト１４０４の遠位端１４１４に近接する出口１４２０から手術用腔に送気ガスを送達するように構成され得る。第２の内腔１４１６は、例えば、上述したような弁を含み得るガス進入ポート１４５２などの送気ガスの供給源と流体連通することができる。上述され得るようなシール１４３１、１４４４も示される。
【０１１５】
図１４Ａは、カニューレ１４５０が第１のポート１４５２及び第２のポート１４６２を含み得ること以外は、図１３及び図１４に記載した任意の数の特徴を含み得る二重オフセット非同心内腔カニューレ１４５０の別の実施形態の長手方向断面図を示す。第１のポート１４５２は、上述したような、第１の内腔１４０６と流体連通するガス進入ポートであり得る。第２のポート１４６２は、手術用腔から第２の内腔１４１６を通してガスを排出するように構成され、例えば、カーボン及びＵＬＰＡフィルタ又は本明細書の別の場所に記載されるような他のフィルタなどの１つ以上のフィルタ１４６９、１４７９を含むガス出口ポートであり得る。第２のポート１４６２は、示されるように第１のポート１４５２と実質的に同じ軸方向高さにあり得る、又は他の実施形態では、軸方向にオフセットし得る。このような実施形態は、ポート１４５２、１４６２を介したフロー制御により弁排出及び送気を有利に制御することができる。
【０１１６】
図１４Ｂは、カニューレ１４６０が第１のポート１４５２と、例えばカニューレ長尺状シャフト１４０４の側壁に第２のポート１４６４とを含み得ること以外は、図１３及び図１４に記載した任意の数の特徴を含み得る二重オフセット非同心内腔カニューレ１４６０の別の実施形態の長手方向断面図を示す。第１のポート１４５２は、上述したような、第１の内腔１４０６と流体連通するガス進入ポートであり得る。第２の側壁ポート１４６４は、手術用腔から第２の内腔１４１６を通してガスを排出するように構成され、例えば、カーボン及びＵＬＰＡフィルタ又は本明細書の別の場所に記載されるような他のフィルタなどの１つ以上のフィルタ１４６９、１４７９を含むガス出口ポートであり得る。示されるように、第２の側壁ポート１４６４は、カニューレ１４６０上で、第１のポート１４５２に対して遠位にあり得る。
【０１１７】
図１５Ａは、上述したような排出用アパーチャ１５３９を有するシール筐体１５３０を含むカニューレ１５００の近位端を示す。弁１５７０は、上述したように、排出用アパーチャ１５３９を有するシール筐体１５３０に到達する前の、手術用腔からガスを排出するように構成された内腔、例えば第２の内腔１５１６の流路内に存在することができる。図１５Ｂは、弁１５７０を、弁を横切る第２の内腔１５１６の流路に対して示す、図１５Ａの拡大図である。図１５Ｃは、１つ、２つ、若しくはこれより多い電磁弁１５７０、又はそのいくつかについては本明細書の別の場所で記載されている他の種類の弁を含む弁構成を示す、図１５Ａの線１５Ｃ−１５Ｃで取った断面図である。カニューレ１５００の壁１５７２にモールドされた単一の弁１５７０が示される。カニューレ１５００の壁１５７２は、オフセットした第２の内腔１５１６を内包し、弁１５７０を所定の位置に保持することができる。第２の内腔１５１６内の小さな排出穴は、弁１５７０によって、ガスがフィルタを通過することを選択的に可能にするように制御され得る。オフセットした第１の内腔１５０６も示される。幾つかの実施形態では、本明細書の別の場所に記載されるように、弁は、ダイヤフラム圧力開放弁、電磁駆動式リリーフ弁、及び／又は圧力リリーフ弁を含み得る。
【０１１８】
図１６は、例えば、図１２Ａ〜図１３に関連するものを含み、弁を含んでも含まなくてもよい、排出用カニューレ内に含まれ得る追加的な機械的／受動排出実施形態を概略的に示す。シール筐体１６３０の排出用アパーチャ１６３９は、カニューレ１６００の近位端１６０１に又はこれに近接して配置することができ、本明細書に前述したような、単一の制限オリフィス、複数の小さな離隔されたオリフィス、アンブレラ圧力リリーフ弁、又は他の自然排出オプションを含み得る。
【０１１９】
図１７Ａ〜図１７Ｃは、電気的排出特徴を含み得る排出用カニューレ１７００の一実施形態を示す。図１７Ａの長手方向断面図に示すように、１つ以上のセンサ１７９０が、手術用腔からのガスを濾過及び排出のために運ぶように構成された内腔（例えば、第２の内腔１７１６）内に存在し得る。センサ１７９０は、例えば、スモーク及び他の有害物質、微粒子、一酸化炭素等、及び／又は例えば上述したような圧力若しくは流れなどの他のガスパラメータを検知するように構成され得る。センサ１７９０は、同じく上述したようにカニューレ１７００内の所定の位置にモールドされ得る又はそうでなければ取り付けられ得る。幾つかの実施形態では、１つ、２つ、又は２つより多いセンサが、加湿器又はガス供給部（例えば気腹器）に動作的に接続されたコントローラにフィードバックを提供してもよい。排出用内腔は、ガス排気システム、例えば真空に流体的に結合してもよい。センサ出力は、ガス排気システムを制御することができる。更に、幾つかの実施形態では、センサ出力が出力弁を制御して、排出速度を制御してもよい。図１７Ｂは、弁１７７０を、弁を横切る第２の内腔１７１６の流路に対して示す、図１７Ａの拡大図である。
【０１２０】
図１７Ｃは、図１７Ａの線１７Ｃ−１７Ｃで取った断面図である。弁１７７０が示される。弁１７７０は、上述したように、カニューレ内に内蔵された又は手術用送気及び／若しくは加湿システム内の別の場所に位置するコントローラを介して作動可能な電磁ゲート弁であり得る。排出ガス流を制御するために、線１７７２がセンサ１７９０及び電磁弁１７７０のコントローラから延び得る。幾つかの場合では、上述したように、線１７７２は、ガス出口経路を封止するために、参照番号１７７６のカニューレ側壁内にオーバーモールドされ得る。図１０Ａ〜図１０Ｂと関連して上に記載及び図示したように、幾つかの実施形態では、カニューレ１７００はまた、１つ以上の電線を介して加熱要素に電力を供給するためのソケット接続を含み得る（例えば、チューブセットにより提供される）。
【０１２１】
図１８は、カニューレ上部筐体１８０２と、第１の内腔１８０６と第２の内腔１８１６とをその中に収容するように構成されたカニューレ長尺状シャフト１８０４と、を含む、図１２Ａ〜図１３などと関連して上述したような特徴を含み得るオフセットデュアル内腔排出用カニューレ１８００の一実施形態の長手方向断面図を示す。排出用要素１１３０のガス流路内にあり、且つ排出用アパーチャ１１３９の遠位にある加熱要素１８４５を含み得る排出用要素１８３０も示される。加熱要素１１４５は、プリント回路基板（ＰＣＢ）ヒータを含むことができ、ガスが凝縮することでフィルタを詰まらせることを防止するために、排出されるガスを、有利には、十分に加熱することができる。加熱要素１１４５の他の態様は、例えば、上で図１１Ａ〜図１１Ｂと関連して記載されるようなものであり得る。
【０１２２】
図１９Ａ〜図２０Ｄは、オフセット内腔形状及び／又はカニューレテーパ構成の様々な非限定的な実施形態を示す。図１９Ａは、弓形の大径の第１の（主）内腔（例えば、円形主内腔１９０１）と、半月／半円状の断面形状を含む小径の第２の（オフセット）内腔１９００とを有するカニューレの断面図を示す。図１９Ｂは、第２の内腔１９００が円形断面形状を含むこと以外は、図１９Ａに類似する実施形態を示す。図１９Ｃは、三日月形を含む第２の内腔１９０４を有する別の実施形態を示す。図２０Ａは、第１の主内腔２００６と第２のオフセット内腔２０１６とを有し、第１の主内腔２００６に向かって遠位テーパを有する（例えば、第１の主内腔２００６は第２のオフセット内腔２０１６よりも長い長さを有する）カニューレの長尺状シャフトの遠位端を示す。図２０Ｂは、図２０Ａとは対照的に、オフセットした第２の内腔２０１６に向かってテーパを有する実施形態を示す。図２０Ｃは、大径の第１の主内腔２００６の周りに回転を形成し、且つこれに少なくとも部分的に外接する、螺旋状にオフセットした第２の内腔２０８６を有する実施形態を示す。図２０Ｄは、第１の内腔２００６と第２の内腔２０１６との間に平底遠位端（テーパなし）を有する実施形態を示す。
【０１２３】
図２１Ａ〜図２１Ｂは、取り出し可能な又は内蔵されたフィルタ及びシール２１３１を含むシール筐体２１３０を含むカニューレ２１００の別の実施形態の分解図を示す。図２１Ｂは、図２１Ａのカニューレ２１００の分解図実施形態の断面図を示す。カニューレ２１００は、カニューレ２１００が、送気ガス供給内腔及び排出ガス内腔の両方として機能するように構成された単一内腔のみを含むこと以外は、本明細書の別の場所に記載されるようなカニューレの特徴のいずれかを組み込むことができる。示されるような幾つかの実施形態では、唯一のガス内腔２１０６は、カニューレ上部筐体２１０２のガス進入ポート２１５２を介してガスを受け取り、長尺状シャフト２１０４の遠位端２１１４に近接する共通の入口／出口２１１０から手術用腔に送気ガスを送達するように構成されている。例えば、１つ以上のフィン２１９７が、保持リング２１３４内などの参照番号２１４８で、カニューレ２１００に近位に動作的に取り付けられることができ、長尺体及び遠位自由端を有し得る。固定又は可動壁又はフィン２１９７は、ガス進入ポート２１５２からカニューレ２１００に入る送気ガスを、唯一のガス内腔２１０６で遠位方向に案内するように有利に構成することができ、唯一のガス内腔２１０６の長さに沿った一部のみを、手術用腔に送気ガスを提供するための第１の通路と患者の外に手術用腔ガスを濾過及び排出するための第２の通路とに効果的に分割することができる。幾つかの実施形態では、第１の通路と第２の通路は、同心であり得る又は互いにオフセットし得る。唯一の内腔２１０６はまた、手術用腔からのガスを共通の入口／出口２１１０に輸送し、シール筐体２１３０内の排出用アパーチャ２１３９を通して手術用腔の外にガスを排出するように構成され得る。排出用要素２１３０のシール２１３１は、上述したような、硬質プラスチック２１３３又は他の材料でオーバーモールドされ得る。また、シール２１３１の遠位に示されるのは保持リング２１３４であり得る。保持リング２１３４は、ガスがフィルタに到達し、排出されることを可能にするための排出用スロット２１４２と、医療機器用の第２のシール２１４４と、を含み得る。排出用スロット２１４０、ガスフィルタを収容するように構成されたポケット２１６２、シールにオーバーモールドされた構成要素２１３３、排出用スロット２１４２を有する保持リング２１３４上の相補的なロック機構２１４６にシール筐体２１３０を接続するためのロック機構２１３６（取り外し可能な実施形態のためのもの。一体型のシール筐体保持リング一体化実施形態には必要ない）も示される。これらは全て、上述したようなものであり得る。
【０１２４】
図２２は、図２１Ａ及び図２１Ｂに示されるような、カニューレ上部筐体２１０２と長尺状シャフト２１０３と単一ガス内腔２１０６とを含む排出用カニューレ２１００実施形態の非分解長手方向断面図を示す。示されるように、送気ガスは、ガス進入ポート２１５２を通ってカニューレ２１００に、及び単一内腔２１０６に入り、フィン２１９７によって遠位に案内され、カニューレ２１００の長尺状シャフト２１０３の遠位端２１１４にある共通の入口／出口１２１０を通って手術用腔に入ることができる。手術用腔からのガスは、カニューレ２１００の単一ガス内腔２１０６に入り、カニューレ２１００内を近位に流れ、シール筐体２１３０内のフィルタを通り、排出用アパーチャ２１３９から環境に出ることができる。上述したようなものであり得るシール２１３１、２１４４も示される。
【０１２５】
図２３Ａは、上述したような排出用アパーチャ２３３９を有するシール筐体２３３０を含むカニューレ２３００の近位端を示す。弁２３７０は、例えば、上述したようなものであり得る排出用アパーチャ２３３９、ガス入口ポート２３５２、フィン２３９７、及び他の特徴を有するシール筐体２３３０に到達する前の、手術用腔からガスを排出するように構成された内腔、例えば、唯一の内腔２３０６内の流路内に存在することができる。図２３Ｂは、弁２３７０を、弁を横切る唯一の内腔２３０６の流路に対して示す、図２３Ａの拡大図である。図２３Ｃは、図２３Ａの線２３Ｃ−２３Ｃで取った断面図である。１つ、２つ、若しくは２つより多い電磁弁２３７０、又はそのいくつかについて本明細書の別の場所で記載されている他の種類の弁を含む弁構成を示す。カニューレ２３００の壁２３７２にモールドされた単一弁２３７０が示される。カニューレ２３００の壁２３７２は、弁１５７０を所定の位置に保持することができる。カニューレの長手方向軸線からオフセットし、弁２３７０が開いている時に唯一の内腔２３０６と流体連通する小さな排出穴２３８８は、本明細書の別の場所に記載されるように、ガスがフィルタを通過することを選択的に可能にするように、弁２３７０によって制御され得る。幾つかの実施形態では、本明細書の別の場所に記載されるように、弁は、ダイヤフラム圧力開放弁、電磁駆動式リリーフ弁、及び／又は圧力リリーフ弁を含み得る。
【０１２６】
図２４は、例えば、図２１Ａ〜図２２に関連するものを含み、弁を含んでも含まなくてもよい、排出用カニューレ内に含まれ得る追加的な機械的／受動排出実施形態を概略的に示す。排出用要素２４３０内の排出用アパーチャ２４３９は、内腔２４０６を通して手術用腔からのガスを受け取るためにフィルタの近位に、且つカニューレ２４００の近位端２４０１に又はこれに近接して配置することができ、本明細書に前述したような、単一の制限オリフィス、複数の小さな離隔されたオリフィス、アンブレラ圧力リリーフ弁、又は他の自然排出オプションを含み得る。
【０１２７】
図２５Ａ〜図２５Ｃは、例えば、図２０Ａ〜図２１と関連して記載したような特徴を含むことができ、電気的排出特徴も含む単一内腔排出用カニューレ２５００の実施形態を示す。図２５Ａの長手方向断面図に示すように、１つ以上のセンサ２５９０が、手術用腔からのガスを濾過及び排出のために運ぶように構成された単一内腔２５０６内に存在し得る。センサ２５９０は、例えば、スモーク及び他の有害物質、微粒子、一酸化炭素等、及び／又は例えば上述したような圧力若しくは流れなどの他のガスパラメータを検知するように構成され得る。センサ２５９０は、同じく上述したようにカニューレ２５００内の所定の位置にモールドされ得る又はそうでなければ取り付けられ得る。図２５Ｂは、弁２５７０を、弁を横切る内腔２５０６の流路に対して示す、図２５Ａの拡大図である。
【０１２８】
図２５Ｃは、図２５Ａの線２５Ｃ−２５Ｃで取った断面図である。弁２５７０が示される。弁２５７０は、上述したように、カニューレ内に内蔵された又は手術用送気及び／若しくは加湿システム内の別の場所に位置するコントローラを介して作動可能な電磁ゲート弁であり得る。排出ガス流を制御するために、線２５７２がセンサ２５９０及び電磁弁２５７０のコントローラから延び得る。幾つかの場合では、上述したように、線２５７２は、ガス出口経路を封止するために、参照番号２５７６のカニューレ側壁内にオーバーモールドされ得る。幾つかの実施形態では、図１０Ａ〜図１０Ｂと関連して上に記載及び図示したように、カニューレ２５００はまた、１つ以上の電線を介して加熱要素に電力を供給するためのソケット接続を含み得る（例えば、チューブセットにより提供される）。
【０１２９】
本明細書に開示される例示的なカニューレはまた、例えば、図１０Ａ〜図１０Ｂと関連して上述したような、１つ以上の電線を介して加熱要素に電力を供給するためのソケット接続を含み得る（例えば、チューブセットにより提供される）。
【０１３０】
図２６Ａ〜図２６Ｂは、カニューレ上部筐体２６０２、単一内腔２６０６をその中に収容するように構成されたカニューレ長尺状シャフト２６０４を含む、図２０Ａ〜図２１などと関連して上述したような任意の数の特徴を含み得る、ガス流入路とガス流出路との間に仕切りを作成するフィン２６９７を有する単一内腔排出用カニューレ２６００の実施形態の断面図を示す。排出用要素２６３０のガス流路内、且つ排出用アパーチャ２６３９の遠位に加熱要素２６４５を含み得るシール筐体２６３０も示される。加熱要素２６４５は、プリント回路基板（ＰＣＢ）ヒータを含むことができ、ガスが凝縮することでフィルタを詰まらせることを防止するために、排出されるガスを、有利には、十分に加熱することができる。加熱要素２６４５の他の態様は、例えば、上で図１１Ａ〜図１１Ｂと関連して記載したようなものであり得る。図２６Ｂは、図２６Ａの線２６Ｂ−２６Ｂで取った断面図である。示されるように、ＰＣＢヒータへの電力は、例えば、接続された手術用加湿システム内の電源に対する線接続２６７２によって提供される。ＰＣＢヒータ２６４５は、上述したように、カニューレ内に配置することができ、ＰＣＢ自体のあらゆる汚染を回避するために、ＰＣＢ  ２６４９がガス流路と直接接触しないように構成され得る。
【０１３１】
図２７Ａ〜図２７Ｂは、取り出し可能な又は内蔵されたフィルタ及びシール２７３１を含むシール筐体２７３０を含むカニューレ２７００の別の実施形態の分解図である。上述したような、例えばマルチステージフィルタなどの複数のフィルタが、例えば、シール筐体２７３０内に連続で配置され得る。保持リング２７３４とカニューレ上部筐体２７０２との間に、外側内腔２７１６と、長尺状シャフト２７０４の遠位端２７１４に近接する外側内腔入口２７２０とに流体連通する１つ以上のブロワファン２７８７を含むブロワユニット２７８８も示される。外側内腔２７１６は、手術用腔からのガス、スモーク、及び他の不要物質の流入を可能にするように構成されている。ブロワユニットは、示されるように、内側内腔２７０６と流体連通し、カニューレの正常使用、例えば、カニューレ内に医療機器を収容することを可能にする開口部、例えば、中心開口部２７８６を含み得る。ブロワユニット２７８８は、カニューレ２７００の他の特徴（例えば、上述したような保持リング２７３４及びカニューレ上部筐体２７０２）に取り外し可能に又は恒久的に取り付けられ得る。図２７Ｂは、排出用アパーチャ２７３９、フィルタを収容するように構成されたポケット２７６２、第１のシール２７３１、保持リング２７３４上の第２のシール２７４４、ガス入口ポート２７５２を同じく示す、図２７Ａのカニューレ２７００の分解図実施形態の断面図を示す。手術用腔気腹からスモークを吸い出すのに十分なほどブロワファン２７８７を駆動する（例えば、回転させる）ように構成された磁気円形リング２７８５であり得るブロワ駆動ユニットも示される。磁気円形リング２７８５は、ガス入口ポート２７５２の送気ラインに動作的に接続された有線接続部に（又は他の実施形態では無線で）接続され得る。
【０１３２】
図２７Ｃは、排出用内腔内のスモークの吸引を行うためのブロワファンブレード、ブロワファン２７８７を駆動するように構成された磁気円形リング２７８５を含むブロワ駆動ユニットを示す、図２７Ａ〜図２７Ｂに示されるようなブロワユニット２７８８を含むカニューレ２７００の非分解長手方向断面図である。本明細書の別の場所に記載されたようなものであり得る、排出用アパーチャ２７３９、及びスモークを排出するためのもう１つの（ｏｎｅ  ｍｏｒｅ）取り出し可能な又は内蔵されたフィルタ２７６９も示される。
【０１３３】
図２８は、清浄な送気ガス、例えば二酸化炭素を、二次カニューレを通して再循環させるように構成されたマルチカニューレシステム２８００の一実施形態の長手方向断面図である。導管２８８０を介して流体的に接続可能な第１のカニューレ２８４０及び第２のカニューレ２８５０が示される。カニューレ２８４０、２８５０は、皮膚Ｓ下及び手術用腔ＳＣ気腹内に配置された状態で示される。手術用腔ＳＣからのガス、スモーク、及び他の不要物質は、上述したようなブロワユニット２８８８の起動によって、第１のカニューレ２８４０の排出用内腔２８１６に吸引され得る。ガスは、矢印の方向に循環することができ、１つ以上のフィルタ２８６９により濾過されて除去され得る。濾過された送気ガスは、本明細書に記載される特定の他の実施形態のように外部環境に排出されるのではなく、その代わり、閉じたシステム内に留まることができ、導管２８８０を介して、再循環された送気ガスが手術用腔ＳＣに再進入することができるように構成された第２のカニューレ２８５０の内腔２８１７内に移動する。本明細書の別の場所に記載されるように、追加の送気ガスを、必要であれば、ガス入口ポート２８５２、２８５２’を通して随時、且つ幾つかの実施形態ではセンサデータを受信するコントローラにより自動的に追加することができる。第１のカニューレ２８４０及び第２のカニューレ２８５０はそれぞれ、上述したような、医療機器（図示せず）の通過を容易にするように構成された内腔、例えば、内側内腔２８０６、２８０６’と、閉じられると、マルチカニューレ送気ガス再循環システムの閉じた性質を有利に維持することができる上述したようなシール２８３１、２８４４とを有し得る。
【０１３４】
図２９は、単一のカニューレ２９００のみを使用すること以外は図２８のものに類似する、清浄な送気ガス、例えば二酸化炭素を再循環させるように構成されたカニューレシステム２９００の一実施形態の長手方向断面図である。カニューレ２９００は、皮膚Ｓ下及び手術用腔ＳＣ気腹内に配置された状態で示される。手術用腔ＳＣからのガス、スモーク、及び他の不要物質は、ブロワ駆動ユニットによるブロワユニット２９８８の起動、例えば、上述したような磁気リング２９８５の回転によって、カニューレ２９００の排出用内腔２９１６に吸引され得る。ガスは、矢印の方向に循環することができ、１つ以上のフィルタ２９６９により濾過されて除去され得る。濾過された送気ガスは、本明細書に記載される特定の他の実施形態のように外部環境に排出されるのではなく、その代わり、閉じたシステム内に留まることができ、再循環された送気ガスが手術用腔ＳＣに再進入することができるように構成されている、内腔２９１６から離隔した内腔２９１７に移動することができる。本明細書の別の場所に記載されるように、追加の送気ガスを、必要であれば、ガス入口ポート２９５２を通して随時、且つ幾つかの実施形態ではセンサデータを受信するコントローラにより自動的に追加することができる。カニューレは、医療機器（図示せず）の通過を容易にするように構成された内腔２９０６、例えば、内側内腔と、閉じられると、単一のカニューレ送気ガス再循環システムの閉じた性質を有利に維持することができる上述したようなシールとを含み得る。
【０１３５】
図３０Ａ〜図３０Ｃは、プランジャの起動時にスモークを除去するように構成されたプランジャ特徴を含むカニューレ３０００の一実施形態の様々な断面図を示す。カニューレ３０００は、上述したような１つ以上のフィルタ３０６９と、ばね上のボタンなどの、例えば、シール３０９５に動作的に接続された制御部３０９３とを含み得る。制御部３０９３は、上部カニューレ筐体３００２上、又は例えば、カニューレシャフト、保持リング、若しくはシール筐体上などの他の位置に存在し得る。制御部３０９３の作動（例えば、ボタンの押下）によりシール３０９５を開くことができ、手術用腔からのスモーク又は他のガスが外部環境に排出されることを可能にする。図３０Ｂは、静止閉鎖位置にあるシール３０９５の拡大図を示す。図３０Ｃは、制御部の作動後の、シール３０９５が開放位置にあり、排出されるガスがカニューレ３０００を出ることが可能な、図３０Ｂのシール３０９５の拡大図を示す。シール３０９５は、例えば本明細書の別の場所に記載されるようなシリコーン、ゴム、又は他の材料で作成され得る。図３１Ａは、本発明の幾つかの実施形態による、手術用気腹腔からのガス、スモーク、及び他の不要物質の高圧ベンチュリ排出用に構成されたカニューレ３１００の部分切欠斜視図を示す。本明細書に記載される他のカニューレの特徴をカニューレ３１００に組み込むことができるものの、簡略化のために幾つかの内部カニューレ構成要素は図示されない。その中に医療機器を嵌合するように構成された入口３１３３、新鮮な送気ガス、例えば二酸化炭素の送達用の送気内腔３１５２、及び圧力差を作成し、排出用内腔３１６２の出口ポートを通じてスモークを排出するように構成された追加的な高圧送気ガスライン３１５３が示される。ガスＧは、示されるように、カニューレの壁の周りを流れ、その後、排出用内腔に流入し、スモーク及び他の手術用腔ガスを排出用内腔に引き込むことができる。図３１Ｂは、排出用内腔３１６２と連通する側壁入口開口部３１９７と、排出用内腔３１６２に沿った１つ以上のフィルタ３１６９とを更に示す、図３１Ａのカニューレ３１００の長手方向断面図である。これらは、本明細書の別の場所に記載されたようなものであり得る。
【０１３６】
図３２Ａ〜図３２Ｂは、ガスのみを通過させ、粒子状物質を保持する、例えば、一連の小さな穴又は孔などの排出制御特徴を有する排出用カニューレ３２００のそれぞれ等角図及び断面図を示す。カニューレ３２００は、回転可能な近位キャップ３２３０を含み得る。回転可能な近位キャップ３２３０は、カニューレ上部筐体３２０２内にあり得る１つ以上のフィルタ材料３２６９を含む排出用アパーチャと部分的に若しくは完全に並ぶ又はこれを遮断する、一連の周方向に整列した排出用スロット３２９８をキャップ３２３０上に有することにより、適切な方向に、例えば矢印の方向などに回転させて／ひねり（例えば、幾つかの場合ではねじ付き内部表面を用いる）、ベントを開放又は閉鎖することができる。図３２Ａは、半開放位置にあり、フィルタ材料３２６９が半開放ゾーン内に見えるベントを示す。スロット３２９８がベントと重なる程度を操作すると、排出の速度を制御することができる。図３２Ｂには、アパーチャ３２９９と流体連通する排出用内腔３２１６、及び上述したようなものであり得る送気内腔３２０６も示される。排出用カニューレ３２００は二重同心内腔構成を示すが、排出制御特徴は、例えば、本明細書の別の場所で開示されるような他のカニューレ内腔幾何学的形状で使用するために使用又は修正することができることは理解されるであろう。
【０１３７】
幾つかの実施形態では、本明細書に記載及び図示されているものなどのフィルタは、複数のフィルタ要素を含み得る。複数のフィルタ要素は、排出用通路／排出用内腔と流体連通した状態で配置され得る。フィルタ要素は、弁排出ガス路内に配置され得る。フィルタ要素は、排出されるガス／スモークが２つ以上のフィルタ要素を通って移動するように、連続して配置され得る。マルチフィルタ要素では、異なるタイプのフィルタが使用され得る。例えば、排出されるガス中の粒子状物質及び任意の潜在的に有害な物質を濾過して除去するために、カーボンフィルタ及びＵＰＬＡフィルタが使用され得る。
【０１３８】
幾つかの実施形態では、本明細書に記載及び図示されているものなどの排出ガスカニューレは、１つ以上の加熱要素を含んでもよい。加熱要素は、１つ、２つ、又は２つより多い内腔内に位置してもよい。加熱要素は、内腔の長さの一部又は全長に延びてもよい。加熱要素は、手術用腔に送達されるガスを加熱し、腔の温度を目標値に維持するように構成されている。ガスを更に加熱すると、送気ガス及び排出されるガスの結露が防止される。ガスを更に加熱すると、任意の機器、例えばスコープ上の曇りも低減することができる。更に、１つ以上の加熱要素は、フィルタ要素を加熱するために、１つ以上のフィルタ要素と連通又は接触し得る。フィルタ要素を加熱すると、フィルタの詰まり及び結露が防止される。更に、加熱要素はまた、ベント又は弁を加熱するために、１つ以上の弁を加熱するように構造化及び構成されてもよい。これらの部分を加熱すると、ベント内の結露の形成及びベントの詰まりが低減される。
【０１３９】
様々なフィルタ実施形態を本明細書に記載してきた。幾つかの実施形態では、手術用腔からのガス、スモーク等を濾過するように構成されたフィルタ要素は、カニューレ自体に必ずしも組み込まれる必要はなく、むしろ、カニューレのカニューレ上部筐体３３０２の近位端の近位にある導管内に存在し得る。図３３Ａの断面図に概略的に示されるように、導管３３５５が、例えば、カニューレ上部筐体３３０２の近位部分３３５６にオーバーモールドされるなど、動作的に取り付けられ得る。図３３Ｂは、カニューレのカニューレ上部筐体３３０２の近位端に導管３３５６を介して流体接続されたティーバッグフィルタ３３６０の実施形態を概略的に示す。図３３Ｃは、カニューレのカニューレ上部筐体３３０２の近位端に導管３３５６を介して流体接続されたスネークフィルタ３３６２の実施形態を概略的に示す。この場合、フィルタ３３６２は、カニューレ上部筐体３３０２の近位端から最も遠い導管３３５６の末端部内に存在し得る。図３３Ｄは、能動フィルタ、電子機器、制御部、及び他の特徴を含むことができ、カニューレのカニューレ上部筐体３３０２の近位端に導管３３５６を介して流体接続されたボックスフィルタ３３６４の実施形態を概略的に示す。この場合、フィルタ３３６４は、カニューレ上部筐体３３０２の近位端から最も遠い導管３３５６の末端部に接続されたデバイス又は筐体内に存在し得る。
【０１４０】
図３４Ａ〜図３４Ｂは、カニューレ上部筐体３４３２と、第１の内腔３４０６と第２の内腔３４１６とをその中に収容するように構成されたカニューレ長尺状シャフト３４０４と、を含む、上述したような特徴を含み得るデュアル内腔排出用カニューレ３４００の一実施形態の断面図を示す。示されるように、送気ガスは、ガス進入ポート３４５２を通ってカニューレ３４００に入り、第１の（例えば中心）内腔３４０６に矢印３４５４の方向に入り、カニューレ３４００の長尺状シャフト３４０４の遠位端３４１４にある出口３４１０を通って手術用腔に入ることができる。図３４Ａを参照すると、閉塞具３４６０を、カニューレ３４００の第１の内腔３４０６内に配置することができる。閉塞具３４６０は、シール筐体３４３０の排出領域３４３９を封止するように構成され得る。閉塞具３４６０は、第１の（例えば内側）内腔３４０６を封止するように構成され得る。閉塞具３４６０は、例えば、シール筐体３４３０の近位端上に配置された排出用アパーチャ３４３９などの、シール筐体３４３０の排出領域３４３９を封止するように構成された近位端又はキャップ部分３４６２を含んでもよい。閉塞具３４６０の長尺状シャフト３４６４は、送気ガスが閉塞具シャフト３４６４の外部とカニューレ３４００の第１の内腔３４０６の内部との間を通過し、カニューレ３４００の遠位端３４１０を出ることができるように、カニューレ３４００の第１の内腔３４０６内に配置されるように構成され得る。これは、例えば、閉塞具シャフト３４６４の外径が第１の内腔３４０６の内径よりも小さい場合に達成することができる。更に、閉塞具３４６０の長尺状シャフト３４６４は、例えば、カニューレ３４００の第１の内腔３４０６と同心的に配置された内腔を含み得る。閉塞具内腔はまた、ガス進入ポート３４５２に入る送気ガスが閉塞具３４６０の遠位端３４６６を通って手術用腔に入ることを可能にするように構成され得る。
【０１４１】
図３４Ｂを参照すると、閉塞具３４６０が取り外されると（図３４Ｂに図示せず）、ガスは、手術用腔から矢印３４７４の方向に流れ、カニューレ３４００の第２の（例えば、外側）内腔３４１６に入り、カニューレ３４００内を近位に流れ、シール筐体３４３０内のフィルタを通り、シール筐体３４３０内の排出用アパーチャ３４３９から手術用腔の外の環境に出ることができる。図３４Ａで説明したガスの流れと同様に、閉塞具３４６０が取り外されると（図３４Ｂに図示せず）、第１の内腔３４０６が、カニューレ上部筐体３４３２のガス進入ポート３４５２から送達される送気ガスを受け取るように、及び長尺状シャフト３４０４の遠位端３４１４に近接する出口３４１０から手術用腔に送気ガスを送達するように構成され得るように、ガスは矢印３４５４の方向に流れることができる。
【０１４２】
図３５Ａ〜図３５Ｂは、複数内腔排出用カニューレ３５００の実施形態の断面図を示す。スコープ又は他の医療機器３５６０は図３５Ａには図示しないが、明確化のために図３５Ｂには示される。図３５Ｂに示される内腔３５１６は、スコープ又は他の医療機器３５６０がカニューレ３５００の長尺状シャフト３５０４の中心内腔３５０６内に配置されると、医療機器３５６０の１つ以上の壁が内腔３５１６のうちの１つ以上の側壁の少なくとも一部を画定するように作成される。リブ３５０８は、長尺状シャフト３５０４の内側表面から、カニューレ３５００の長尺状シャフト３５０４の内腔３５０６内に配置されたスコープ３５６０などの医療機器の外側表面に内向きに、例えば半径方向内向きに延びるように構成されている。内腔３５１６は、医療機器３５６０の周りに配置されており、医療機器３５６０の位置を固定するように構成されたリブ３５０８によって形成され得る。存在するリブ３５０８の数に応じて、医療機器３５６０がカニューレ３５００内に配置された時に、複数の内腔３５１６が形成されてもよい。１つ以上の内腔３５１６は、ガスを排出する内腔であってもよい。しかしながら、内腔３５０６、内腔３５１６の任意の組み合わせを使用して、ガスを排出すること又は送気ガスを供給することができる。他の実施形態では、全ての内腔３５０６、内腔３５１６が排出のために使用される。幾つかの実施形態では、カニューレ３５００は送気ガスを全く供給しない。幾つかの実施形態では、約又は少なくとも約１、２、３、４、５、６、７、又は８、又は８より多いリブ３５０８が存在し得る。複数のリブ３５０８は、ガス排出流が乱されないようにするために、互いに離隔し、且つ十分に薄くなるように構成され得る。幾つかの実施形態では、リブ３５０８は、リブ３５０８を収容する各内腔の内径の約、例えば、２５％、２０％、１５％、１０％、５％、若しくは５％未満よりも小さい、又は前述の値の任意の２つを含む範囲よりも小さい厚さを有し得る。幾つかの実施形態では、リブ３５０８は、長尺状シャフト３５０４の内壁と一体形成されている又はそうでなければ取り付けられている。リブ３５０８は、ガス流入路（長尺状シャフト３５０４の内腔３５０６）とガス流出路（ベントに向かう外側内腔３５１６）との間に仕切りを作成することができる。
【０１４３】
図３５Ｂは、スコープ又は他の医療機器３５６０がカニューレ３５００内に配置されている図３５Ａの断面図である。示されるように、医療機器、例えば、スコープ３５６０は、内腔内壁の一部を形成するように構成され得る。別個の内側内腔で壁を形成して複数内腔カニューレ（例えば、図４に示されるカニューレ３００など）を作成するのではなく、図示される外側内腔３５１６は、長尺状シャフト３５０４の内側表面と、リブ３５０８と、（長尺状シャフト３５０４内に挿入された）医療機器３５６０の外側表面の一部分とによって形成され得る。内側内腔３５０６は、カニューレ３５００の長尺状シャフト３５０４内に挿入されたスコープ３５６０によって形成され得る。
【０１４４】
用語
医療ガス送達システム及び関連構成要素並びに方法の例を、図を参照しながら記載してきた。図は、様々なシステム及びモジュール及びそれらの間の接続を示す。様々なモジュールとシステムは様々な構成で組み合わせることができ、様々なモジュールとシステムとの間の接続は、物理的リンク又は論理的リンクを表し得る。図中の表現は、原理を明確に示すために提示され、モジュール又はシステムの分割に関する詳細は、別個の物理的な実施形態を詳述しようとするのではなく、説明を容易にするために提供されている。例及び図は、説明を意図しており、本明細書に記載される本発明の範囲を限定するものではない。例えば、本明細書の原理は、手術用加湿器のみならず、呼吸器加湿器を含む他の種類の加湿システムに適用されてもよい。しかしながら、加湿システム及び方法はまた、任意選択的に、患者の呼吸器系に関与しなくてもよく、気道の一部（例えば、鼻、口、気管、及び／又は気管支）内に配置されなくてもよい。
【０１４５】
本明細書で使用する場合、「プロセッサ」という用語は、任意の適切なデバイス、論理ブロック、モジュール、回路、又は命令を実行するための要素の組み合わせを広く意味する。例えば、コントローラ８は、例えばＰｅｎｔｉｕｍ（登録商標）プロセッサ、ＭＩＰＳ（登録商標）プロセッサ、Ｐｏｗｅｒ  ＰＣ（登録商標）プロセッサ、ＡＭＤ（登録商標）プロセッサ、ＡＲＭ（登録商標）プロセッサ、又はＡＬＰＨＡ（登録商標）プロセッサなどの任意の従来の汎用シングル若しくはマルチチップマイクロプロセッサを含み得る。更に、コントローラ１２２は、例えばデジタルシグナルプロセッサ又はマイクロコントローラなどの任意の従来の専用マイクロプロセッサを含み得る。本明細書に開示した実施形態に関連して記載した様々な例証的な論理ブロック、モジュール、及び回路は、汎用プロセッサ、デジタルシグナルプロセッサ（ＤＳＰ）、特定用途向け集積回路（ＡＳＩＣ）、フィールドプログラマブルゲートアレイ（ＦＰＧＡ）、又は他のプログラマブルロジックデバイス、ディスクリートゲート若しくはトランジスタ論理、ディスクリートハードウェアコンポーネント、又は本明細書に記載される機能を実施するように設計されたこれらの任意の組み合わせ、又はメインプロセッサ内の純粋なソフトウェアと共に実施又は実行することができる。例えば、ロジックモジュールは、任意の追加の及び／又は特殊なハードウェア要素を利用しないソフトウェア実施機能ブロックであり得る。コントローラは、コンピューティングデバイスの組み合わせ、例えば、ＤＳＰとマイクロプロセッサとの組み合わせ、マイクロコントローラとマイクロプロセッサとの組み合わせ、複数のマイクロプロセッサ、ＤＳＰコアと併用する１つ以上のマイクロプロセッサ、又は任意の他のそのような構成として実施され得る。
【０１４６】
データストレージは、データをプロセッサによって記憶及び検索することを可能にする電子回路を指すことができる。データストレージは、外部デバイス又はシステム、例えば、ディスクドライブ又はソリッドステートドライブを指すことができる。データストレージはまた、通信バス又はコントローラに直接接続される、高速半導体ストレージ（チップ）、例えば、ランダムアクセスメモリ（ＲＡＭ）又は様々な形態の読み出し専用メモリ（ＲＯＭ）を指すことができる。他の種類のデータストレージとしては、バブルメモリ及びコアメモリが挙げられる。データストレージは、データを非一時的な媒体に記憶するように構成された物理的ハードウェアであり得る。
【０１４７】
特定の実施形態及び例を本明細書に開示しているが、本発明の主題は、特に開示された実施形態以外に、他の代替的な実施形態及び／又は使用、並びにそれらの修正物及び等価物にまで及ぶ。したがって、本明細書に添付の特許請求の範囲又は実施形態の範囲は、本明細書に記載される特定の実施形態のいずれかによって限定されるものではない。例えば、本明細書に開示される任意の方法又はプロセスにおいて、方法又はプロセスの行為若しくは操作は、任意の適切な順序で実施することができ、任意の特定の開示された順序に必ずしも限定されるものではない。様々な操作は、特定の実施形態の理解に有用となり得る手法で、複数の別々の操作として順に記載され得る。しかしながら、記載の順序は、これらの操作が順序に依存することを示唆するものとして解釈されるべきではない。更に、本明細書に記載される構造体は、一体型の構成要素として又は別個の構成要素として具現化することができる。様々な実施形態を比較する目的で、これら実施形態の特定の態様及び利点が記載されている。このような態様又は利点の全てが任意の特定の実施形態によって必ずしも達成されるわけではない。したがって、例えば、様々な実施形態は、本明細書に同じく教示又は提案され得る他の態様又は利点を必ずしも達成することなく、本明細書に教示される１つの利点又は利点の群を達成するか又は最適化する手法で実行され得る。
【０１４８】
本明細書中で使用される、とりわけ、「〜できる（ｃａｎ）」、「〜できる（ｃｏｕｌｄ）」、「〜の可能性がある（ｍｉｇｈｔ）」、「〜してもよい（ｍａｙ）」、「例えば（ｅ．ｇ．）」等のような条件付きの文言は、別段の記載のない限り、又は使用される文脈内で理解される限り、一般に、特定の実施形態が特定の特徴、要素及び／又は状態を含む一方で、他の実施形態は特定の特徴、要素及び／又は状態を含まないと伝えることを意図する。したがって、このような条件付きの文言は、一般に、１つ以上の実施形態に、特徴、要素及び／又は状態が何らかの形で必要であることを示唆するものではない。本明細書で使用する場合、用語「含む（ｃｏｍｐｒｉｓｅｓ）」、「含む（ｃｏｍｐｒｉｓｉｎｇ）」、「含む（ｉｎｃｌｕｄｅｓ）」、「含む（ｉｎｃｌｕｄｉｎｇ）」、「有する（ｈａｓ）」、「有する（ｈａｖｉｎｇ）」、又はこれらの任意の他の変化形は、非排他的な包含を含むものである。例えば、要素のリストを含むプロセス、方法、物品、又は装置は、これらの要素のみに必ずしも限定されるものではなく、明示的にリスト化されていない又はそのようなプロセス、方法、物品、若しくは装置に固有でない他の要素を含んでもよい。また、「又は（ｏｒ）」という用語は、例えば、要素のリストを接続するために使用される場合、「又は」という用語が、リスト内の要素のうちの１つ、幾つか、又は全てを意味するように、（その排他的な意味ではなく）その包含的な意味で使用される。「Ｘ、Ｙ及びＺのうちの少なくとも１つ」という語句などの接続語は、別段の記載のない限り、一般的に使用される文脈において、項目、用語等がＸ、Ｙ又はＺのいずれかであり得ることを伝えるものと理解される。したがって、このような接続語は、一般に、特定の実施形態に、少なくとも１つのＸ、少なくとも１つのＹ、及び少なくとも１つのＺがそれぞれ存在することを必要とすることを示唆するものではない。本明細書で使用する場合、「約（ａｂｏｕｔ）」又は「約（ａｐｐｒｏｘｉｍａｔｅｌｙ）」という語は、値が、記載された値の±１０％以内、±５％以内、又は±１％以内であることを意味し得る。
【０１４９】
本明細書に記載される方法及びプロセスは、１つ以上の汎用及び／又は専用コンピュータによって実行されるソフトウェアコードモジュール内で具現化されてもよく、これを介して部分的に又は完全に自動化されてもよい。「モジュール」という語は、ハードウェア及び／若しくはファームウェアで具現化されたロジック、又は例えば、Ｃ又はＣ＋＋などのプログラミング言語で記述された、可能であれば入口点及び出口点を有するソフトウェア命令の集合を意味する。ソフトウェアモジュールは、コンパイルされ、実行可能なプログラムにリンクされてもよく、動的にリンクされたライブラリにインストールされてもよく、又は例えば、ＢＡＳＩＣ、Ｐｅｒｌ、若しくはＰｙｔｈｏｎなどのインタプリタ型プログラミング言語で記述されてもよい。ソフトウェアモジュールは、他のモジュールから若しくはそれら自身から呼び出し可能であってもよく、及び／又は検知されたイベント若しくは割り込みに応答して呼び出されてもよいことは理解されるであろう。ソフトウェア命令は、消去可能なプログラム可能な読み出し専用メモリ（ＥＰＲＯＭ）などのファームウェアに組み込まれてもよい。更に、ハードウェアモジュールは、ゲート及びフリップフロップなどの接続された論理ユニットを含んでもよい、並びに／又はプログラマブルゲートアレイ、特定用途向け集積回路、及び／若しくはプロセッサなどのプログラマブルユニットを含んでもよいことは理解されるであろう。本明細書に記載されるモジュールは、ソフトウェアモジュールとして実装され得るが、また、ハードウェア及び／又はファームウェアで示されてもよい。更に、幾つかの実施形態では、モジュールは別々にコンパイルされてもよいが、他の実施形態では、モジュールは、別々にコンパイルされたプログラムの命令のサブセットを表してもよく、他の論理プログラムユニットに利用可能なインターフェースを有していなくてもよい。
【０１５０】
特定の実施形態では、コードモジュールが、任意の種類のコンピュータ可読媒体又は他のコンピュータ記憶デバイスに実装及び／若しくは格納されてもよい。幾つかのシステムでは、システムに入力されたデータ（及び／又はメタデータ）、システムによって生成されたデータ、及び／又はシステムによって使用されたデータは、リレーショナルデータベース及び／又はフラットファイルシステムなどの、任意の種類のコンピュータデータリポジトリに格納され得る。本明細書に記載されるシステム、方法、及びプロセスのいずれも、使用者、オペレータ、他のシステム、コンポーネント、プログラム等との対話を可能にするように構成されたインターフェースを含んでもよい。
【０１５１】
本明細書に記載される実施形態に多くの変形及び修正を施してもよいことを強調すべきであり、これらの要素は、とりわけ許容可能な例であると理解されるべきである。このような修正及び変形は全て、本明細書においては本開示の範囲内に含まれ、以下の特許請求の範囲によって保護されるものとする。更に、前述の開示のいずれも、任意の特定の構成要素、特性、又はプロセス段階が必要であること又は必須であることを示唆するものではない。
【図１】
2021533893.tif 000003
【図２】
2021533893.tif 000004
【図３Ａ】
2021533893.tif 000005
【図３Ｂ】
2021533893.tif 000006
【図３Ｃ】
2021533893.tif 000007
【図４】
2021533893.tif 000008
【図５Ａ】
2021533893.tif 000009
【図５Ｂ】
2021533893.tif 000010
【図６】
2021533893.tif 000011
【図６Ａ】
2021533893.tif 000012
【図６Ｂ】
2021533893.tif 000013
【図７Ａ】
2021533893.tif 000014
【図７Ｂ】
2021533893.tif 000015
【図７Ｃ】
2021533893.tif 000016
【図７Ｄ】
2021533893.tif 000017
【図７Ｅ】
2021533893.tif 000018
【図８Ａ】
2021533893.tif 000019
【図８Ｂ】
2021533893.tif 000020
【図８Ｃ】
2021533893.tif 000021
【図８Ｄ】
2021533893.tif 000022
【図９Ａ】
2021533893.tif 000023
【図９Ｂ】
2021533893.tif 000024
【図１０Ａ】
2021533893.tif 000025
【図１０Ｂ】
2021533893.tif 000026
【図１１Ａ】
2021533893.tif 000027
【図１１Ｂ】
2021533893.tif 000028
【図１２Ａ】
2021533893.tif 000029
【図１２Ｂ】
2021533893.tif 000030
【図１３】
2021533893.tif 000031
【図１４】
2021533893.tif 000032
【図１４Ａ】
2021533893.tif 000033
【図１４Ｂ】
2021533893.tif 000034
【図１５Ａ−１５Ｂ】
2021533893.tif 000035
【図１５Ｃ】
2021533893.tif 000036
【図１６】
2021533893.tif 000037
【図１７Ａ−１７Ｂ】
2021533893.tif 000038
【図１７Ｃ】
2021533893.tif 000039
【図１８】
2021533893.tif 000040
【図１９Ａ】
2021533893.tif 000041
【図１９Ｂ】
2021533893.tif 000042
【図１９Ｃ】
2021533893.tif 000043
【図２０Ａ】
2021533893.tif 000044
【図２０Ｂ】
2021533893.tif 000045
【図２０Ｃ】
2021533893.tif 000046
【図２０Ｄ】
2021533893.tif 000047
【図２１Ａ】
2021533893.tif 000048
【図２１Ｂ】
2021533893.tif 000049
【図２２】
2021533893.tif 000050
【図２３Ａ−２３Ｂ】
2021533893.tif 000051
【図２３Ｃ】
2021533893.tif 000052
【図２４】
2021533893.tif 000053
【図２５Ａ−２５Ｂ】
2021533893.tif 000054
【図２５Ｃ】
2021533893.tif 000055
【図２６Ａ】
2021533893.tif 000056
【図２６Ｂ】
2021533893.tif 000057
【図２７Ａ】
2021533893.tif 000058
【図２７Ｂ】
2021533893.tif 000059
【図２７Ｃ】
2021533893.tif 000060
【図２８】
2021533893.tif 000061
【図２９】
2021533893.tif 000062
【図３０Ａ−３０Ｂ】
2021533893.tif 000063
【図３０Ｃ】
2021533893.tif 000064
【図３１Ａ】
2021533893.tif 000065
【図３１Ｂ】
2021533893.tif 000066
【図３２Ａ】
2021533893.tif 000067
【図３２Ｂ】
2021533893.tif 000068
【図３３Ａ】
2021533893.tif 000069
【図３３Ｂ】
2021533893.tif 000070
【図３３Ｃ】
2021533893.tif 000071
【図３３Ｄ】
2021533893.tif 000072
【図３４Ａ】
2021533893.tif 000073
【図３４Ｂ】
2021533893.tif 000074
【図３５Ａ】
2021533893.tif 000075
【図３５Ｂ】
2021533893.tif 000076
【国際調査報告】
2021533893.tif 000077
2021533893.tif 000078
2021533893.tif 000079
2021533893.tif 000080
2021533893.tif 000081
2021533893.tif 000082
2021533893.tif 000083
2021533893.tif 000084
2021533893.tif 000085